(57)【要約】【課題】インタレース型ＰＤＰの駆動方法の改良によりその動作マージン、解像度、輝度などを改善する。【解決手段】複数の放電セルが複数の行と複数の列に配列された表示画面上に複数のサブフィールドからなる画像フレームを表示する際に、複数のサブフィールドのうちの少なくとも１つのサブフィールドのアドレス期間においては、奇数行または偶数行である複数の注目する行のそれぞれとその一方の側に隣接する行との２つの行に含まれる列方向に隣接した２つのセルを表示単位としてアドレスを行い、続いて、１つのサブフィールドの表示期間においては、当該表示期間を２つの分割表示期間に分割し、一方の分割表示期間において表示単位となる２つの隣接セルの一方のみによる表示を行い、他方の分割表示期間において前記表示単位となる２つの隣接セルの両方による表示を行うことを特徴とするＰＤＰの駆動方法。【選択図】  図１４
2008197686.tif 000002
【特許請求の範囲】
【請求項１】
複数の放電セルが複数の行と複数の列に配列された表示画面を有するプラズマディスプレイパネルにおける前記表示画面上に、複数のサブフィールドからなる画像フレームを表示する方法であって、
前記複数のサブフィールドのうちの少なくとも１つのサブフィールドのアドレス期間においては、奇数行または偶数行である複数の注目する行のそれぞれとその一方の側に隣接する行との２つの行に含まれる列方向に隣接した２つのセルを表示単位として、アドレスを行い、続いて、
前記１つのサブフィールドの表示期間においては、当該表示期間を２つの分割表示期間に分割し、一方の分割表示期間において前記表示単位となる２つの隣接セルの一方のみによる表示を行い、他方の分割表示期間において前記表示単位となる２つの隣接セルの両方による表示を行う、
ことを特徴とするプラズマディスプレイパネルの駆動方法。
【請求項２】
複数の放電セルが複数の行と複数の列に配列された表示画面を有するプラズマディスプレイパネルにおける前記表示画面上に、複数のサブフィールドからなる画像フレームを連続して表示する方法であって、
奇数行または偶数行である複数の注目する行のそれぞれとその一方の側に隣接する行との２つの行をペアとして列方向に隣接する２つのセルにより同一のデータを所定時間表示するタイプＡのサブフィールドからなるフレームＡと、
前記複数の注目する行のそれぞれとその他方の側に隣接する行の２つの行をペアとして列方向に隣接する２つのセルに同一のデータを表示するタイプＢのサブフィールドからなるフレームＢとを交互に表示するインタレース表示を行うにする
ことを特徴とするプラズマディスプレイパネルの駆動方法。
【請求項３】
複数の放電セルが複数の行と複数の列に配列された表示画面を有するプラズマディスプレイパネルにおける前記表示画面上に、複数のサブフィールドからなる画像フレームを連続して表示する方法であって、
奇数画像フレームを構成するサブフィールドにおいては、奇数行または偶数行である複数の注目する行のそれぞれとその一方の側に隣接する行の２つの行に含まれる列方向に隣接した２つのセルを表示単位として、かつペアとなる奇数行と偶数行のセルが互いに異なる表示時間を持つようにし、
偶数画像フレームを構成するサブフィールドにおいては、前記複数の注目する行のそれぞれとその他方の側に隣接する行との２つの行に含まれる列方向に隣接した２つのセルを表示単位として、かつペアとなる奇数行と偶数行のセルが互いに異なる表示時間を持つようにする、
ことを特徴とするプラズマディスプレイパネルの駆動方法。
【請求項４】
前記サブフィールドにおける表示期間を第１および第２の表示期間に分離し、隣接してペアとなる２つの表示ライン上の表示単位となる２つのセルの一方による表示の時間を前記第１および第２の表示期間の一方のみに対応する長さとし、他方のセルによる表示の時間を前記第１および第２の表示期間の両方に対応する長さとする
ことを特徴とする請求項３記載のプラズマディスプレイパネルの駆動方法。
【請求項５】
複数の表示ラインに沿って延びる複数の表示電極および前記表示ラインと交差する方向に延びるように配列された複数のアドレス電極を有し、各表示ラインに一対の表示電極が対応し、表示電極対とアドレス電極との交差部に放電セルが画定されるプラズマディスプレイパネルによって画像フレームを表示するための方法であって、
前記画像フレームを第１タイプのサブフィールドと第２タイプのサブフィールドとで構成し、
前記第１タイプのサブフィールドについては、奇数表示ラインのそれぞれとそれに対する一方の側の隣接した偶数表示ラインとをペアにして、前記アドレス電極に沿って並ぶ隣接した２個のセルに１つのドットの表示データを対応させて表示し、
前記第２タイプのサブフィールドについては、偶数表示ラインのそれぞれとそれに対する前記第１タイプと同じく一方の側の隣接した奇数表示ラインをペアにして、前記アドレス電極に沿って並ぶ隣接した２個のセルに１つのドットの表示データを対応させて表示する
ことを特徴とするプラズマディスプレイパネルの駆動方法。
【請求項６】
前記第１タイプおよび第２タイプのサブフィールドのそれぞれに対して、１つのドットの表示データに対応する隣接した２個のセルのうち一方のセルのみが放電発光する第１表示期間と両方のセルが放電発光する第２表示期間とを有した表示期間を設ける
請求項５記載のプラズマディスプレイパネルの駆動方法。
【請求項７】
前記第１表示期間と第２表示期間とを１つのサブフィールドの中で同じ長さとする
請求項６記載のプラズマディスプレイパネルの駆動方法。
【発明の詳細な説明】
【技術分野】
【０００１】
本発明はプラズマディスプレイパネルの駆動方法に係り、特に、インタレース型のプラズマディスプレイパネル及びインタレース方式の駆動技術の改良に関する。
【背景技術】
【０００２】
プラズマディスプレイパネル（以後ＰＤＰと称する）をインタレース駆動する技術が特開平９−１６０５２５号公報に記載されている。この公報には、Ｘ電極（表示電極）及びＹ電極（走査電極）からなる電極群の中の全ての電極間隙を同一幅にして全ての放電間隙で放電が生じるようにしたＰＤＰを用いて、奇数番目の電極間隙（放電ギャップ）の放電を使用した表示と、偶数番目の電極間隙（放電ギャップ）の放電を使用した表示とを交互に行い、インタレース表示を行う技術が開示されている。この技術を用いることにより、通常のＰＤＰよりも表示解像度を上げると共に表示輝度を向上させることができる。
【０００３】
このインタレース型ＰＤＰのパネル構造を示す図３８及び図３９において、Ｘ1，Ｘ2，Ｘ3は表示電極１１を表し、Ｙ1，Ｙ2，Ｙ3は走査電極１２を表し、Ａ1〜Ａ6はアドレス電極２１を表す。表示電極１１及び走査電極１２は、それぞれ透明電極１１ｉ，１２ｉ及びバス電極１１ｂ，１２ｂで構成されている。そしてＬ1〜Ｌ5が放電ギャップであり各々の表示ラインを構成する。また、表示電極１１と走査電極１２との間の面放電を複数の面放電（即ち複数のセル）に区画するために隔壁２５が配設され、各々の隔壁２５の間には赤・緑・青に発光する蛍光体層２６Ｒ，２６Ｇ，２６Ｂが形成されている。
【０００４】
図４０に上記のＰＤＰに対する表示期間の駆動波形を示す。
【０００５】
表示放電を行うための表示期間に、図４０に示すように、ｏｄｄフィールド（ｏｄｄフレームとも言う）では、奇数Ｘ電極Ｘoddと奇数Ｙ電極Ｙoddの組合せと、偶数Ｘ電極Ｘevenと偶数Ｙ電極Ｙevenの組合せとが逆相の波形となり、奇数表示ラインＬodd（図３８のＬ1，Ｌ3，Ｌ5）で放電が起きてＬoddが表示ラインとなる。一方、ｅｖｅｎフィールド（ｅｖｅｎフレームとも言う）では、ＸoddとＹevenの組合せと、ＸevenとＹoddの組合せとが逆相の波形となり、偶数表示ラインＬeven（図３８のＬ2，Ｌ4）で放電が起きてＬevenが表示ラインとなる。
【０００６】
このようにして、ｏｄｄフィールド（ｏｄｄフレーム）とｅｖｅｎフィールド（ｅｖｅｎフレーム）とにおいて駆動波形を変えることにより、表示電極１１と走査電極１２とが等間隔で形成されたＰＤＰの全ての電極間隙を表示ラインとして用いることができるため、高精細で高輝度の表示を行うＰＤＰを実現することができる。
【特許文献１】特開平９−１６０５２５号公報
【発明の開示】
【発明が解決しようとする課題】
【０００７】
従来のインタレース型ＰＤＰ（図３８及び図３９）では、等間隔で形成された全ての電極間隙を表示ライン（放電ギャップ）として用いることができるが、各々の電極間隙は、ｏｄｄフィールド（ｏｄｄフレーム）又はｅｖｅｎフィールド（ｅｖｅｎフレーム）の一方のフィールド（フレーム）で放電ギャップ（表示放電を行う電極間隙）となるとき、他方のフィールド（フレーム）では非放電ギャップ（表示に使わない電極間隙）となる必要がある。
【０００８】
ところが、各々の電極間隙の幅は、一方のフィールド（フレーム）で放電ギャップとして働くのに適すようにある程度狭く設定されているため、その電極間隙が他方のフィールド（フレーム）で非放電ギャップとなるとき、即ちセル間の分離のためのギャップとして働くとき、上記のように設定された電極間隙は十分な広さの間隙とは言えなくなる。
【０００９】
そこで、特開平９−１６０５２５号公報記載の発明においては、非放電ギャップを挟む電極間には同相の電圧波形を印加して、非放電ギャップに掛かる電圧を低くする（又は０にする）ように工夫している。このような駆動方法により、上記のインタレース型ＰＤＰの駆動が行われているが、動作マージンを上記の従来技術よりも更に大きくするためには限界があった。
【００１０】
このような状況下で動作マージンを更に大きくするために、ＰＤＰ自体の構造の改善や、駆動方法及び駆動波形などの改善が望まれていた。
そこで、本発明は、動作マージンを更に大きくするためのインタレース型ＰＤＰの構造とその駆動方法の提供、及びそのＰＤＰの表示解像度や輝度を向上させるための駆動方法の提供を目的とする。
【課題を解決するための手段】
【００１１】
上記の課題を解決するために、先ず第１に、インタレース型ＰＤＰの構造を改善する。従来の（上記の）インタレース型ＰＤＰは、放電ギャップが連続して配列された構成になっているが、本発明のインタレース型ＰＤＰは、各々の放電ギャップの間に非放電ギャップを挟んで配列した構成とする。即ち、本発明では、隣接する二つのセルを、その間に非放電ギャップを挟むことにより分離している。そして、放電キャップは放電の発生に適すように狭い幅で構成すると共に、非放電ギャップは放電の分離（即ち、放電させないこと）に適すように広い幅で構成する。
【００１２】
このようなインタレース型ＰＤＰを用いることにより、基本的に動作マージンを大きくすることができるが、その反面、各々の放電ギャップの間に非放電ギャップを追加したことによりＰＤＰの表示輝度や解像度が低下する。そこで、第２のポイントとして、上記のＰＤＰに対して用いる駆動方法や駆動波形を工夫し、放電ギャップと交差する方向に隣接する二つ又は三つのセルを組にして各々のセルの表示状態を制御し、しかも同時に二つのセルを点灯させることにより、輝度の低下を防ぐと共に表示解像度の向上を図る。
【００１３】
また、他のインタレース型のＰＤＰとして、非放電ギャップを用いない構造（放電ギャップが連続して配列された構造）のＰＤＰも、次のような工夫をすれば使用可能である。即ち、電極構造又は隔壁構造の少なくとも一方の構造を、隣接するセル間の結合が小さくなるように、しかもその結合が適度に存在するように変更することである。
【００１４】
非放電ギャップを用いない構造を有すると共にこのような工夫を施したインタレース型ＰＤＰを用いることにより、隣接するセル間の結合が小さくなるようにしたことに基づいて動作マージンを大きくすることができるが、その反面、上記のような構造に変更したことにより、ＰＤＰの表示輝度などが低下する。そこで、さらに駆動方法や駆動波形を工夫し、放電ギャップと交差する方向に隣接する二つ又は三つのセルを組にして各々のセルの表示状態を制御し、しかも同時に二つのセルを点灯させるというような工夫により、輝度の低下などを防ぐ。
【００１５】
このようにＰＤＰやその駆動方法を改良するための具体的な解決手段（ＰＤＰの駆動方法及びＰＤＰ装置）に関し、以下に、具体的に説明する。
【００１６】
請求項１記載のプラズマディスプレイパネルの駆動方法は、複数の放電セルが複数の行と複数の列に配列された表示画面を有するプラズマディスプレイパネルにおける前記表示画面上に、複数のサブフィールドからなる画像フレームを表示する方法であって、前記複数のサブフィールドのうちの少なくとも１つのサブフィールドのアドレス期間においては、奇数行または偶数行である複数の注目する行のそれぞれとその一方の側に隣接する行との２つの行に含まれる列方向に隣接した２つのセルを表示単位としてアドレスを行い、続いて、前記１つのサブフィールドの表示期間においては、当該表示期間を２つの分割表示期間に分割し、一方の分割表示期間において前記表示単位となる２つの隣接セルの一方のみによる表示を行い、他方の分割表示期間において前記表示単位となる２つの隣接セルの両方による表示を行うことを特徴とする。
【００１７】
請求項２記載のＰＤＰの駆動方法は、複数の放電セルが複数の行と複数の列に配列された表示画面を有するプラズマディスプレイパネルにおける前記表示画面上に、複数のサブフィールドからなる画像フレームを連続して表示する方法であって、奇数行または偶数行である複数の注目する行のそれぞれとその一方の側に隣接する行との２つの行をペアとして列方向に隣接する２つのセルにより同一のデータを所定時間表示するタイプＡのサブフィールドからなるフレームＡと、前記複数の注目する行のそれぞれとその他方の側に隣接する行の２つの行をペアとして列方向に隣接する２つのセルに同一のデータを表示するタイプＢのサブフィールドからなるフレームＢとを交互に表示するインタレース表示を行うにすることを特徴とする。
【００１８】
請求項３記載のＰＤＰの駆動方法は、複数の放電セルが複数の行と複数の列に配列された表示画面を有するプラズマディスプレイパネルにおける前記表示画面上に、複数のサブフィールドからなる画像フレームを連続して表示する方法であって、奇数画像フレームを構成するサブフィールドにおいては、奇数行または偶数行である複数の注目する行のそれぞれとその一方の側に隣接する行の２つの行に含まれる列方向に隣接した２つのセルを表示単位として、かつペアとなる奇数行と偶数行のセルが互いに異なる表示時間を持つようにし、偶数画像フレームを構成するサブフィールドにおいては、前記複数の注目する行のそれぞれとその他方の側に隣接する行との２つの行に含まれる列方向に隣接した２つのセルを表示単位として、かつペアとなる奇数行と偶数行のセルが互いに異なる表示時間を持つようにすることを特徴とする。
【００１９】
請求項４記載のＰＤＰの駆動方法においては、前記サブフィールドにおける表示期間を第１および第２の表示期間に分離し、隣接してペアとなる２つの表示ライン上の表示単位となる２つのセルの一方による表示の時間を前記第１および第２の表示期間の一方のみに対応する長さとし、他方のセルによる表示の時間を前記第１および第２の表示期間の両方に対応する長さとする。
【００２０】
請求項５記載のＰＤＰの駆動方法は、複数の表示ラインに沿って延びる複数の表示電極および前記表示ラインと交差する方向に延びるように配列された複数のアドレス電極を有し、各表示ラインに一対の表示電極が対応し、表示電極対とアドレス電極との交差部に放電セルが画定されるプラズマディスプレイパネルによって画像フレームを表示するための方法であって、前記画像フレームを第１タイプのサブフィールドと第２タイプのサブフィールドとで構成し、前記第１タイプのサブフィールドについては、奇数表示ラインのそれぞれとそれに対する一方の側の隣接した偶数表示ラインとをペアにして、前記アドレス電極に沿って並ぶ隣接した２個のセルに１つのドットの表示データを対応させて表示し、前記第２タイプのサブフィールドについては、偶数表示ラインのそれぞれとそれに対する前記第１タイプと同じく一方の側の隣接した奇数表示ラインをペアにして、前記アドレス電極に沿って並ぶ隣接した２個のセルに１つのドットの表示データを対応させて表示することを特徴とする。
【００２１】
請求項６記載のＰＤＰの駆動方法においては、前記第１タイプおよび第２タイプのサブフィールドのそれぞれに対して、１つのドットの表示データに対応する隣接した２個のセルのうち一方のセルのみが放電発光する第１表示期間と両方のセルが放電発光する第２表示期間とを有した表示期間を設ける。
【００２２】
請求項７記載のＰＤＰの駆動方法においては、前記第１表示期間と第２表示期間とを１つのサブフィールドの中で同じ長さとする。
【発明の効果】
【００２３】
上記の請求項１〜請求項７に示した本発明のＰＤＰの駆動方法を用いることにより、駆動マージンの広いインタレース型のプラズマディスプレイを実現することができる。しかも、インタレース型ＰＤＰの輝度の低下を小さく抑えつつ解像度を向上させることができる。
【発明を実施するための最良の形態】
【００２４】
（第１実施形態）
第１実施形態のＰＤＰの構造とその駆動方法について、図１〜図１０、及び図３７を参照して説明する。
【００２５】
図１及び図３７は、それぞれ、本実施形態のＰＤＰの構造を示す平面図及び分解斜視図である。
【００２６】
図１及び図３７において、Ｘ1〜Ｘ3、及びＹ1〜Ｙ3は、それぞれ表示電極対１１及び走査電極対１２を表し、Ａ1〜Ａ6及び２１（図３７）はアドレス電極を表す。ここで、各電極対の数は便宜的な数であり、実際のＰＤＰは多数の電極対を有する。表示電極対１１及び走査電極対１２は、それぞれ２本の電極から構成されている。図３７では、符号１１α及び１１βの二つの電極でＸ1の電極対を構成し、符号１２α及び１２βの二つの電極でＹ1の電極対を構成している。１本毎の電極は、従来の図３８及び図３９の電極と同様にして、透明電極とバス電極から構成されているが、図１及び図３７ではその図示を省略した。これらの透明電極とバス電極の組合せ構造の詳細は、第４実施形態として後述する。
【００２７】
また、従来の図３９のＰＤＰと同様にして、表示電極対１１と走査電極対１２との間のライン状の面放電を複数のドット状の面放電（即ち複数の放電用のセル；以下セルと略記する）に区画するために、それらの電極対と交差する方向（アドレス電極と平行な方向）に複数の隔壁２５が配設され、各々の隔壁（リブとも言う）２５の間には赤・緑・青に発光する蛍光体層２６Ｒ，２６Ｇ，２６Ｂが形成されている。
【００２８】
図１に示した符号Ｌ1〜Ｌ5が放電ギャップ（即ち、放電を発生させる電極間隙）で各々の表示ラインを示すものであり、ＮＧ1〜ＮＧ5が非放電ギャップ（即ち、放電を発生させない電極間隙）である。
【００２９】
隣接するセル間の干渉を起こりにくくするために、即ち動作マージンの拡大を図るために、非放電ギャップの幅を放電ギャップの幅よりも広くするように構成する。そして、非放電ギャップを挟む電極は、基本的には表示エリア外の領域で電気的に結合され、同電位が印加される。このような構成は、ちょうど図３８及び図３９に示した従来のＰＤＰの各電極をそれぞれ２本の電極に分割した形になっている。表示領域の外で電気的には結合さているが、平面視した場合に表示領域内では、更に言えば、少なくとも放電が発生する領域（即ち放電を発生するセルとなる領域）においては、電気的に連結されていないことが重要である。この構造により、電極と交差する方向に隣接するセル間の放電の分離を良好にすることができる。
【００３０】
図１のＰＤＰを用いて表示放電を行うための表示期間における駆動波形を図２に示す。図４０に示した従来の駆動波形とは異なり、図２の駆動波形では、全てのＸ電極群、及び全てのＹ電極群に同一の波形を印加すると共に、Ｘ電極群とＹ電極群との間に逆相の交番パルスを印加している。このように駆動することにより、全ての放電ギャップで同時に表示放電を起こすことができる。この点が図４０に示された従来技術と異なる特徴である。
【００３１】
図２のようにして表示放電を行う前に、予め表示するセルを選択するための駆動方法を図３〜図８に示す。
【００３２】
図３は、駆動波形のフレーム構成を示す図である。
【００３３】
本実施形態では、図３（ａ）に示す奇数フレームと図３（ｂ）に示す偶数フレームの２種類のフレームを用いて表示の制御を行う。それぞれのフレームは、奇数フレーム及び偶数フレームの表示信号（表示データ）に対応するフレームである。通常、奇数フレームの表示信号（表示データ）は奇数番目の表示ラインの表示信号に対応するものであり、偶数フレームの表示信号（表示データ）は偶数番目の表示ラインの表示信号に対応するものである。この偶数・奇数の関係が逆になってもよい。このように、奇数フレームと偶数フレームは、２種類の表示信号に対応する連続する２種類のフレームを区別するための呼称であり、偶奇の順番には特別な意味はない。（なお、奇数フレームと偶数フレームに関するこれらの内容は他の実施形態でも同様である）。
【００３４】
図３（ａ）に示すように、奇数フレームは複数のサブフレームからなり、それぞれのサブフレームはリセット期間、アドレス期間、表示期間から構成され、各表示期間は各サブフレームに対応して重み付けされている。なお、「リセット期間、アドレス期間、表示期間」を、図中では「リセット、アドレス、表示」というように「期間」を省略して記載してあり、この点は以下の図面も同様である。
【００３５】
一方、図３（ｂ）に示すように、偶数フレームは、アドレス期間と表示期間との間に転写期間が追加されているが、この転写期間については後述する。
【００３６】
そして、奇数フレームではＹ電極を挟んで隣接する２つのセルに同一のデータを書き込み、偶数フレームではＸ電極を挟んで隣接する２つのセルに同一のデータを書き込む。例えば、図１に示すように、奇数フレームではＹ1電極を挟む符号２０１及び２０２のセルにデータを書込み、偶数フレームでは、Ｘ2電極を挟む符号３０１及び３０２のセルや、Ｘ3電極を挟む符号３１１及び３１２のセルにデータを書き込む。
【００３７】
図３（ａ）の奇数フレームの中の一つのサブフレームにおける駆動波形（即ち、例えば上記の符号２０１及び２０２のセルにデータを書き込むための駆動波形）を図４に示す。
この図４の駆動波形は、基本的には従来の通常のＰＤＰの駆動波形と同様のものであるが、図１に示すように電極対の両側に放電ギャップがあるために、電極対の両側の２セル（図１の符号２０１及び２０２のセルに対応）が同時にアドレス放電を発生する点に特徴がある。なお、図３の駆動波形のリセット期間においては、符号ＲＰ１及びＲＰ２で示すようにランプ波形（鈍波）を用いて微弱放電を利用したリセットを行っているが、この波形に限定されるものではない。
【００３８】
図４に示す駆動波形で駆動した場合のＰＤＰのセル内での動作状態を、図５を用いて説明する。図５は、アドレス電極Ａに沿った線上で切断したＰＤＰの断面図上に、複数のセルの誘電体層表面の帯電状態を図示したものである。ここで、Ｘ及びＹの電極対の個々の電極として、符号Ｙnの電極対では２本図示してあるが、符号Ｘn及びＸn+1の電極対では片側の１本のみを図示した。
【００３９】
図５中の符号ａ〜ｄは図４中に示された符号ａ〜ｄに対応するステップを示し、さらに図５には、（１）点灯セルの状態と（２）非点灯セルの状態とを併記してある。そこで図５のセル内の動作状態を、図４の駆動波形と対応付けて説明する。
【００４０】
先ず、図４のリセット期間の第１ランプ波ＲＰ１で全てのセルに適当な壁電圧を蓄積し（符号ａ）、続く第２ランプ波ＲＰ２でその壁電圧をアドレス放電用に適したレベルに調節する（符号ｂ）。
【００４１】
これに対応して、図５の符号ａ及びｂのステップでは、全てのセルに、均一に初期化された壁電荷が形成されている。
【００４２】
図４のアドレス期間では、Ｙ電極に走査パルスＳＰ（電圧−ＶY）を印加し、アドレス電極に印加するアドレスパルスＡＰにより、アドレス放電の強度を選択する（符号ｃ）。点灯セルにおいては、電圧ＶAのアドレスパルスＡＰを印加して、電圧−ＶYの走査パルスＳＰとの組合せにより強いアドレス放電を起こし、符号３６１及び３６２の二つのセル（Ｙn電極対を挟んで隣接する二つのセル）の誘電体層表面に、表示期間に表示放電が起きるだけの壁電圧を形成する。ここで、符号３６１及び３６２の二つのセルは、図１の符号２０１及び２０２のセルに対応するものである。
【００４３】
一方、非点灯セルにおいては電圧ＶAのアドレスパルスＡＰを印加しないことにより弱いアドレス放電を起こし、表示期間において表示放電が起きないような壁電圧状態にしておく。なおここで弱いアドレス放電とはアドレス放電が起きない場合も含む。
【００４４】
これに対応して、図５（１）の符号ｃのステップで、符号３６１及び３６２のセルに大きな壁電荷が形成されている。一方、（２）の非点灯セルの側では小さい壁電荷のままである。
【００４５】
また、アドレス放電は、上述したようにＹ電極対を挟んで隣接する二つのセル（符号３６１及び３６２）に対して同時に行われる。
続く表示放電期間においては、サステインパルス（維持パルス）の群が印加され、強いアドレス放電が行われたセルのみで表示放電が行われる。
【００４６】
図５の（１）点灯セルの状態と（２）非点灯セルの状態とは、符号ｃ及びｄのステップで異なるものとなる。前者にはオン状態の大きな壁電荷が蓄積され、後者にはオフ状態の小さな壁電荷が蓄積される。
【００４７】
次に、偶数フレームにおけるサブフレームの駆動波形や動作について、図６〜図８を参照して説明する。
【００４８】
図６は、偶数フレームにおけるサブフレームの駆動波形を示す。図７及び図８は、そのサブフレームにおけるセル内の動作状態を示す。
【００４９】
奇数フレームではＹ電極対の両側のセルを同時にアドレスしたが、偶数フレームでは奇数フレームの場合と異なり、アドレス放電はＹ電極対の片側のみで行うように駆動する。
【００５０】
例えば、図１のＹ1電極対の下流側のセル３０１やＹ2電極対の下流側のセル３１１などのアドレスを行う。ここで言う下流側とは、走査時間方向での後ろ側のことであり、図１において紙面の下側に相当する。（上流側はその逆であり、これらの用語の意味は以下同様とする）。
【００５１】
先ず、図６において、Ｙ電極対の片側のみのセルをアドレスするために、表示電極対を偶奇で分け、偶数Ｘ電極対の群Ｘevenと奇数Ｘ電極対の群Ｘoddとにグループ化する。
【００５２】
そして、アドレス期間の前半で奇数番目のＹ電極対Ｙoddの各々（Ｙ1〜Ｙ2N-1）を順次アドレスするときには、Ｙ電極対の上流側でアドレス放電が起きないようにＸoddの電位を下げておくと共に、下流側でアドレス放電が起きるようにＸevenの電位を上げておく。同様に、アドレス期間の後半で偶数番目のＹ電極対Ｙevenの各々（Ｙ2〜Ｙ2N）を順次アドレスするときには、Ｙ電極対の上流側でアドレス放電が起きないようにＸevenの電位を下げておくと共に、下流側でアドレス放電が起きるようにＸoddの電位を上げておく。
【００５３】
そして、偶数フレームの表示期間においては、Ｘ電極対を挟んで隣接する２つのセルを組にして表示を行う。そのため、アドレス期間で強いアドレス放電を行った一つのセルとＸ電極を挟んで隣接するセルに対して、その一つのセルの放電を転写することにより、そのセルと放電を転写したセルとの二つのセルを一緒に放電させるように駆動する。このように放電の転写を行うために、アドレス期間と表示期間との間に転写期間を設ける。この転写期間は、図６の中で「転写」と表記した期間である。
【００５４】
この転写期間においては、アドレスしたセルの下流側のセル（例えば図１の３０２、又は３１２）に放電開始電圧よりわずかに低い電圧（ＶMY＋ＶMX）（具体的には、Ｙ電極の電圧ＶMYとＸ電極の電圧−ＶMXとの差）をかけておくことにより、上流側のセル（例えば図１の３０１、又は３１１）の放電をトリガとして、下流側のセル（例えば図１の３０２、又は３１２）に放電を起こす。
【００５５】
上流側のセル（例えば図１の３０１、又は３１１）に、アドレス期間において十分な壁電圧が形成されていれば（即ち強いアドレス放電が起きていれば）、転写期間においてトリガとなる放電が起き、下流側のセル（例えば図１の３０２、又は３１２）の放電が誘起される。逆に上流側のセルにアドレス期間において十分な壁電圧が形成されていなければ（即ち弱いアドレス放電又は非放電であれば）、転写期間において放電が起きず、下流側のセルの放電も誘起されない。
【００５６】
なお、アドレスしたセルの下流側のセル（例えば図１の３０２、又は３１２）の放電のみを誘起するため、即ちアドレスしたセルの上流側のセル（例えば図１の３０３、又は３１３）には放電を誘起させないために、転写期間においてもアドレス期間の場合と同様にＸ電極対を偶奇の電極対の群に分ける。即ち、奇数Ｘ電極対の群Ｘoddと偶数Ｘ電極対の群Ｘevenに分け、Ｙ電極を挟んで隣接するセル（ここでは上流側のセル）には高い電圧をかけないように駆動する。
【００５７】
具体的には、符号ｄのステップで、Ｘevenに転写用の負パルス４０１（電圧−ＶMX）を印加し、Ｘoddに転写を抑制するための正パルス４１１を印加する（このパルスはアドレス期間のパルスと連続したパルスとなっている）。また、符号ｅのステップで、Ｘoddに転写用の負パルス４０２（電圧−ＶMX）を印加し、Ｘevenに転写を抑制するための正パルス４１２を印加する。
【００５８】
以上のように駆動することにより、先ず、アドレス期間においてＹ電極対を挟む二つのセルの片側のセルのアドレスを行う。次に、転写期間において、そのセルの放電を、そのセルに対してＸ電極対を挟んで隣接する他のセル（ここでは下流側のセル）に転写する。そして、表示期間において、アドレスしたセルと転写したセルとの二つのセルを一組として（即ちＸ電極対を挟んで隣接する二つのセルを一組として）表示放電を行う。
【００５９】
このような駆動が行われるときのＰＤＰ内のセルの動作状態を、図７及び図８を参照して説明する。
【００６０】
図７及び図８中の符号ａ〜ｆのステップは図６中に示された符号ａ〜ｆのステップに対応し、符号ａ〜ｆのステップに対応する点灯セルの状態を図７に、非点灯セルの状態を図８に図示している。そこで図７及び図８のセル内の動作状態を、図６の駆動波形と対応付けて説明する。
【００６１】
先ず、図６のリセット期間の第１ランプ波ＲＰ１で全てのセルに適当な壁電圧を蓄積し（符号ａ）、続く第２ランプ波ＲＰ２でその壁電圧をアドレス放電用に適したレベルに調節する（符号ｂ）。
【００６２】
これに対応して、図７及び図８の符号ａ及びｂのステップでは、全てのセルに、均一に初期化された壁電荷が形成されている。
【００６３】
図６のアドレス期間では、Ｙ電極に走査パルス（電圧−ＶY）を印加し、アドレス電極のパルスにより、アドレス放電の強度を選択する（符号ｃ）。点灯セルにおいては、電圧ＶAのアドレスパルスＡＰを印加して、電圧−ＶYの走査パルスＳＰとの組合せにより強いアドレス放電を起こし、表示期間において表示放電が起きるだけの壁電圧を形成する。一方、非点灯セルにおいては電圧ＶAのアドレスパルスＡＰを印加しないことにより弱いアドレス放電を起こし（又はアドレス放電を発生させず）、表示期間において表示放電が起きないような壁電圧状態にしておく。そして、このアドレス期間においては、奇数Ｘ電極群や偶数Ｘ電極群に選択レベルの電圧（高電圧）や非選択レベルの電圧（低電圧）を図６に示したように印加することにより、Ｙ電極対を挟んで隣接する二つのセル（図７の符号４６１及び４６２のセル）の内の一方のセル（図７の符号４６２のセル）のみをアドレスする（符号ｃ）。
【００６４】
これに対応する図７の符号ｃのステップにおいて、符号４６２のセルに大きな壁電荷が蓄積し、符号４６１のセルに小さな壁電荷が蓄積している。なお、この符号４６１及び４６２のセルは、それぞれ図１の符号３０３及び３０１のセル（又は、符号３１３及び３１１のセル）に対応するものである。
【００６５】
次に、図７のｄ又は（ｅ）のステップ（転写期間）において、符号４６２のセルの放電を符号４６３のセルに転写する。即ち、符号４６２ａの面放電を符号４６３ａの面放電に転写する。
【００６６】
この面放電の転写を行うときに、アドレス電極ＡとＸ2nの電極対との間の対向放電を利用することにより、転写動作を一層促進することができる。具体的には、図７の符号ｄのステップにおいて、符号４６２ａの面放電を発生させるときにほぼ同時に符号４６２ｂの対向放電を発生させる。そして転写される側の符号４６３のセルにおいても、面放電４６３ａと共に対向放電４６３ｂが発生可能な波形を印加しておく。このような状態で転写の操作を行うことにより、面放電４６２ａと対向放電４６２ｂとをトリガ放電にして、隣のセル４６３に符号４６３ｂの対向放電を誘起すると共にそれとほぼ同時に符号４６３ａの面放電を発生させることができる。なお、転写動作時の印加電圧が小さい場合には、符号４６２ｂの対向放電が発生しても、符号４６３ｂの対向放電が発生しないこともある。このような場合であっても、符号４６２ｂの対向放電は、放電の転写を促進することができる。
【００６７】
ここで、二つの対向放電４６２ｂ及び４６３ｂの間隔は、二つの面放電４６２ａ及び４６３ａの間隔よりも小さいために、放電の転写を一層促進することができる。
【００６８】
そして、このような転写用の対向放電を発生させるために、図６の符号４２１に示すように、アドレス電極Ａに転写補助パルスを印加する。この転写補助パルス４２１を立ち上げるタイミングは、転写用のパルス４０１と同時か又はそれよりも早くなるようにする。なお、この転写補助パルス４２１を用いなくても転写を行うことができるが、このパルスを用いる方が転写動作を一層確実なものとすることができる。換言すれば、転写時の動作マージンを大きくすることができる。
【００６９】
このような転写期間の中には、図６の符号ｄ及びｅで示すように二つの転写ステップがあり、これらのステップは、それぞれ図７の符号ｄ及び符号（ｅ）で示すステップに対応している。図７の符号（ｅ）のステップは、電極を示す符号を（）で囲んだ場合の電極配列、即ち符号（Ｘ2n）〜（Ｙ2n+1）の電極配列の場合に対応するものとして図示した。そして、図７の（）で囲まない符号で示した電極配列が符号ｄのステップに対応している。
【００７０】
そして、図７に示すように、符号ｄのステップにおいては奇数Ｙ電極対Ｙ2n-1でアドレスしたセルを偶数Ｘ電極対Ｘ2nに隣接するセルに転写し、符号（ｅ）のステップにおいては偶数Ｙ電極対Ｙ2nでアドレスしたセルを奇数Ｘ電極対Ｘ2n+1に隣接するセルに転写する。
【００７１】
次に、図８は、偶数フレーム内のサブフレームでの非点灯セルの動作状態を示している。符号ａ及びｂのステップ（リセット期間）は図７の場合と同じであるが、符号ｃのステップ（アドレス期間）では図中の全てのセルが非点灯状態であるため、全てのセルの壁電荷が小さい状態になっている。そして図中には放電セル（点灯状態のセル）がないことにより、符号ｄ〜ｆのステップ（転写期間〜表示期間）においても、全てのセルの壁電荷が小さい状態のままになっている。
【００７２】
図３〜図８に基づいて以上に説明したように、偶奇両方のフレームで縦方向（マトリクス画面の列方向のことであり、以下同様）に隣接するセル二つ分が表示の１ラインに対応し、かつ偶数フレームと奇数フレームではそのラインの位置が縦方向にセル１つ分、即ち表示ラインとして１／２ピッチ分ずれた表示を実現することができる。つまりインタレース表示が可能となる。
【００７３】
この点に関して、さらに図９及び図１０を参照して説明する。
【００７４】
図９の（ａ）は、画面の１列分の表示用のセルの組を示す図であり、これはアドレス電極の１ライン上の表示用のセルの組に相当するものである。Ｘ電極対Ｘ1〜Ｘ6やＹ電極対Ｙ1〜Ｙ6の各々は２本の電極の組であり、隣接するＸとＹの電極間に実線の丸印で示したセルが形成される。そして、これらのセルの中から適宜隣接する二つのセルを組にして表示を行う。例えば図９の（ａ）に示した符号５０１及び５０２の二つのセルを、符号５１１の破線の丸印のように組にして表示を行う。そして、この（ａ）に示す図を、（ｂ）の図のように略記するものとする。（ａ）の符号５１１のセルの組は（ｂ）の符号５２１のように図示し、（ａ）のＸ電極対Ｘ1〜Ｘ6やＹ電極対Ｙ1〜Ｙ6の各々２本づつの電極対は、（ｂ）に示すように各々１本の電極Ｘ1〜Ｘ6及びＹ1〜Ｙ6として略記するものとする。（以下も同様）。
【００７５】
図１０に、第１実施形態の表示期間における表示用のセルの組を示す。（１）奇数フレームの表示用のセルの組と、（２）偶数フレームの表示用のセルの組とでは、縦方向にセル一つ分、即ち表示ラインとして１／２ピッチ分ずれた表示となっていることが分かる。結局、電極端子数に対する垂直解像度は、図３９及び図４０に示した従来例と同様であり、それと同等の高解像度が実現できる。
【００７６】
また、第１実施形態においては、奇数フレームの表示用のセルの組と、偶数フレームの表示用のセルの組とでは、下流側にセル一つ分ずれた表示となっているが、このセル一つ分ずれる方向は下流側に限定されることなく、上流側にセル一つ分ずれた表示であってもよい。この場合は、上記の駆動波形の組合せ方を適宜変更すればよい。
【００７７】
（第２実施形態）
既に説明したように、第１実施形態は、通常の表示パターンの表示を行うときには、十分に高い解像度で表示を行うことができるものである。しかし、特殊なパターンを表示するときには、その解像度が落ちることがある。本実施形態は、このような特殊な表示パターンに対しても、十分に高い解像度で表示可能にするための駆動方法を提供する。
【００７８】
そこで、先ず、特殊なパターンに対する第１実施形態の解像度について、図１５及び図１６を参照して説明する。
【００７９】
図１５は、第１実施形態の点灯方法を示す図であり、縦方向に隣接する二つのセルを組にして、その二つのセルを同時に点灯又は非点灯とし、同図（ａ）の偶数フレームと同図（ｂ）の奇数フレームとでその二つのセルを縦方向に１セル分ずらすように駆動する。
【００８０】
この図１５に示したような駆動方法を用いて、図１６の（ａ）に示す表示データを第１実施形態の駆動方法により表示するとき、偶数フレーム及び奇数フレームにおける点灯セルの状態は、それぞれ図１６の（ｂ）及び（ｃ）に示すようになる。
【００８１】
ここで図１６の（ａ）に示す表示データは、１ドット分だけ間が空いた二つのドットをオン状態にするための表示データを示すものである。この表示データを第１実施形態の駆動方法を用いて表示しようとすると、（ｂ）に示すように偶数フレームの連続した４つのセルのみが点灯し、（ｃ）に示すように奇数フレームのセルは全く点灯しない。
【００８２】
なお、ここで言う「ドット」とは表示データの１点を示すものであり、「セル」とはＰＤＰの表示単位としての放電セルを示すものとする。また、図中の黒四角はハイレベルのドットを示し、黒丸は点灯状態のセルを示す。（以下同様）
このように、１ドット分だけ間が空いた二つのドットを示す表示データを表示しようとした場合、図１６（ｂ）に示すように、分離すべきドットが繋がってしまうとことになる。即ち、第１実施形態の駆動方法においては、このような特殊な表示パターンに対する表示解像度が落ちるという点で一つの課題がある。
【００８３】
このような課題は、図１２（ａ）に示すように、二つのセルの中間の位置に表示データのドットの位置を対応させること、即ち表示データの１ドットと隣接する二つのセルとを対応させ、しかもその二つのセルを同じレベルの輝度で点灯させることに起因するものである。
【００８４】
そこで本発明の第２実施形態においては、図１２（ｂ）に示すように、１ドットを３セルで表示し、両脇のセルの輝度を中央のセルの輝度よりも低くする。しかも、表示データの１ドットと、組にした三つのセルの内の中央のセルとを対応付けることにより、１ドット分の間隔を開けた２ドットの表示データを表示するとき、図１３（ｂ）に示すように、各ドットのデータを分離して表示することができる。
【００８５】
即ち、第２実施形態の場合は、第１実施形態では分解できないような特殊な表示パターンをも分解することができる。また、隣接セルをも光らせているので、特開平９−１６０５２５号公報記載の発明に比較して輝度の低下も小さく抑えることができる。
【００８６】
ここで、予め、第１実施形態と第２実施形態との長所と短所とを比較しておく。
【００８７】
第１実施形態は、通常の表示パターンにおいては十分に高解像度の表示を実現できるが、図１６に示したような特殊な表示パターンに対してはその解像度が落ちることがある。
【００８８】
一方、第２実施形態は、そのような場合を含めて全ての表示パターンに対して高解像度表示ができるという特長がある。しかし、このような性能を実現するためには、以下に説明するような高度な駆動方法を採用することが必要である。
【００８９】
これに対して第１実施形態の駆動方法は、このような第２実施形態の場合に比べて非常にシンプルであるため、その点において優れたものである。また、図１６に示したような特殊な表示パターンは、通常のＴＶ表示などにおいては殆ど問題にならないことが多い。
【００９０】
即ち、第１実施形態と第２実施形態とは、それぞれ一長一短があり、通常の表示をシンプルな駆動方法で実現するためには第１実施形態が適当であり、一方、たとえ駆動方法が複雑であっても、極めて高解像度な性能を実現したい場合には、第２実施形態の方が適していると思われる。
【００９１】
次に、輝度レベルの一つの例について説明する。図１２（ｂ）に示すように、第２実施形態の一例においては表示データの１ドットに対応する中央のセルの輝度をＬとし、その両側に隣接する二つのセルの輝度をＬ／４とする。一方、第１実施形態においては表示データの１ドットに対応する二つのセルの輝度を共にＬとする。このように輝度を設定して１ドットおきの表示データを表示した場合、第２実施形態の一例においては図１３（ｂ）に示すように、表示すべき２ドットに対応する２セルの輝度はＬ、その２セルの間の１セルの輝度はＬ／２、その２セルの外側の２セルの輝度はＬ／４となる。一方、第１実施形態においては図１３（ａ）に示すように、表示すべき２ドットに対応する４セルの輝度は全てＬとなる。これらの具体例により、第２実施形態の場合は、第１実施形態の場合よりも高解像度化できることがよく分かる。なお、図１２（ｂ）において中央のセルの両側にあるセルの輝度をＬ／４としたが、これは一例であって、この値に限定されるものではない。
【００９２】
図１２（ｂ）に示した三つのセルの点灯状態は、具体的には図１４に示すようにして実現する。先ず、ドット位置に対応するセル（図中の符号ｐ１のセル）（上記３セルの内の中央のセル）とそのセルの片側に隣接するセル（図中の符号ｐ２のセル）とで二つのセルの組を作る。そして、サブフレームの表示期間を第１表示期間と第２表示期間との二つに分け、前半（第１表示期間）では、組にした二つのセルの内、ドット位置に対応するセル（図中の符号ｐ１のセル）のみ点灯させ、後半（第２表示期間）では組にした二つのセル（図中の符号ｐ１及びｐ２のセル）を二つとも点灯させる。この内容を、図１４の（ａ１）及び  （ａ２）に示した。
【００９３】
そして、このような二つのセルの組み合わせを２種類作る。例えば、図１４に示したｐ１及びｐ２と、ｑ１及びｑ２の２種類である。前者は、ドット位置に対応するセル（上記３セルの内の中央のセル）とそのセルの上流側に隣接するセルとの組合せであり、後者は、ドット位置に対応するセル（上記３セルの内の中央のセル）とそのセルの下流側に隣接するセルとの組合せである。そして、符号ｐ１のセルと符号ｑ１のセルとは同一のセル（即ち、上記３セルの内の中央のセル）である。
【００９４】
そして、前者の組合せをtypeＡと呼び、後者の組合せをtypeＢと呼ぶ。（上記の上流側及び下流側とtypeＡ及びtypeＢとの対応は上記の組合せに限定されるものではない）。
【００９５】
そして、typeＡ及びtypeＢの組合せを１フレーム内で混在させる。具体的には、typeＡ及びtypeＢの組合せをそれぞれ別のサブフレームに対応させる。そして、前者をtypeＡのサブフレーム、後者をtypeＢのサブフレームと呼ぶ。
【００９６】
上述したように（即ち、図１４に示すように）表示データの処理とＰＤＰセルの駆動とを行うことにより、中央のセルの輝度を高くすると共に、そのセルの両側のセルの輝度を低くする状態、即ち図１２（ｂ）に示した状態を実現することができる。
【００９７】
第２実施形態のＰＤＰの構造を図１７（平面図）及び図３７（斜視図）に示し、その中に本実施形態の駆動方法の説明のために用いるいくつかのセルを記入した。このＰＤＰの構造自体は、基本的に図１（平面図）及び図３７（斜視図）に示した第１実施形態のＰＤＰの構造と同一であり、種々の電極や放電ギャップなどを示す符号も、基本的に図１の場合と同一である。
【００９８】
次に、具体的な駆動方法について説明する。
【００９９】
図１８に示すように、各サブフレームはリセット期間、アドレス期間、表示期間を備え、さらに表示期間は転写期間を挟んで第１表示期間（前方部分）と第２表示期間（後方部分）とに分割されている。
【０１００】
第１表示期間においては、偶数フレームでは偶数ラインのセルを点灯させ、奇数フレームでは奇数ラインのセルを点灯させる（一般的には、偶奇の関係が逆になってもよい）。このように駆動するための偶奇の所定のセルの選択はアドレス期間の処理として行われる。
【０１０１】
例えば図１８の偶数フレームのアドレス期間及び第１表示期間では、図１７の符号６０２や６０４のセルを点灯させ、図１８の奇数フレームのアドレス期間及び第１表示期間では図１７の符号６１３や６１５のセルを点灯させる。
【０１０２】
次に、図１８の第２表示期間において、typeＡのサブフレームでは第１表示期間で点灯したセルの上流側のセルを点灯させ、typeＢのサブフレームでは第１表示期間で点灯したセルの下流側のセルを点灯させる。そして、このように二つのセルを組み合わせる処理は、転写期間における転写処理によって行う。
【０１０３】
例えば、図１８の偶数フレームのtypeＡのサブフレームの転写期間及び第２表示期間では、図１７の符号６０１及び６０２の二つのセルや、符号６０３及び６０４の二つのセルを同時に点灯させる。そして、図１８の偶数フレームのtypeＢのサブフレームの転写期間及び第２表示期間では、図１７の符号６０２及び６０３の二つのセルや、符号６０４及び６０５の二つのセルを同時に点灯させる。
【０１０４】
また、例えば図１８の奇数フレームのtypeＡのサブフレームの転写期間及び第２表示期間では、図１７の符号６１２及び６１３の二つのセルや、符号６１４及び６１５の二つのセルを同時に点灯させる。そして、図１８の奇数フレームのtypeＢのサブフレームの転写期間及び第２表示期間では、図１７の符号６１３及び６１４の二つのセルや、符号６１５及び６１６の二つのセルを同時に点灯させる。
【０１０５】
上記のようなセルの組合せ及び点灯状態を、図１９〜図２２に示した。
【０１０６】
先ず、第１表示期間におけるセルの組合せ及び点灯状態について説明する。第１表示期間の偶数フレームにおいては、偶数番目のセルをアドレスしてそのセルを第１表示期間に点灯状態にする様子を図１９及び図２０の各々の（ａ）に示した。ここでは４番目のセルを選択した例を示している。
【０１０７】
一方、第１表示期間の奇数フレームにおいては、奇数番目のセルをアドレスしてそのセルを第１表示期間に点灯状態にする様子を図２１及び図２２の各々の（ａ）に示した。ここでは３番目のセルを選択した例を示している。
【０１０８】
次に、第２表示期間におけるセルの組合せ及び点灯状態について説明する。第２表示期間のtypeＡのサブフレームにおいては、第１表示期間で点灯したセルとその上流側のセルとを同時に点灯する様子を図１９及び図２１の各々の（ｂ）に示した。図１９（ｂ）では４番目のセルとその上側のセルとの２セルを、図２１（ｂ）では３番目のセルとその上側のセルとの２セルを点灯した例を示している。
【０１０９】
一方、第２表示期間のtypeＢのサブフレームにおいては、第１表示期間で点灯したセルとその下流側のセルとを同時に点灯する様子を図２０及び図２２の各々の（ｂ）に示した。図２０（ｂ）では４番目のセルとその下側のセルとの２セルを、図２２（ｂ）では３番目のセルとその下側のセルとの２セルを点灯した例を示している。
【０１１０】
上記の図１９〜図２２に示したようなセルの組合せ及び点灯状態を実現するための「４種類のサブフレームに対する駆動方法（駆動波形）」を図２３〜図２６に示し、「各々のサブフレームの駆動方法に対応するＰＤＰ内のセルの動作状態」を図２７〜図３０に示す。
【０１１１】
第１種類のサブフレームとして、図２３に偶数フレーム・typeＡのサブフレームの駆動波形を示し、図２７にそのサブフレームにおける点灯セルの動作状態を示す。
【０１１２】
図２３の駆動波形において、先ず、リセット期間の２種類の鈍波ＲＰ１，ＲＰ２で全てのセル内の壁電荷の状態の初期化（均一化）を行う。
【０１１３】
次に、アドレス期間において、Ｙ電極対の片側のみのセルを順次アドレスするために、表示電極対を偶奇で分け、偶数Ｘ電極対の群Ｘevenと奇数Ｘ電極対の群Ｘoddとにグループ化する。そして、アドレス期間の前半で、奇数番目のＹ電極対Ｙoddの各々（Ｙ1〜Ｙ2N-1）を順次アドレスするときには、Ｙ電極対の上流側でアドレス放電が起きないようにＸoddの電位を下げておくと共に、下流側でアドレス放電が起きるようにＸevenの電位を上げておく。同様に、アドレス期間の後半で、偶数番目のＹ電極対Ｙevenの各々（Ｙ2〜Ｙ2N）を順次アドレスするときには、Ｙ電極対の上流側でアドレス放電が起きないようにＸevenの電位を下げておくと共に、下流側でアドレス放電が起きるようにＸoddの電位を上げておく。
【０１１４】
そして、アドレス期間に続く第１表示期間においては、アドレス期間でアドレスした各々のＹ電極対の片側のセル（下流側のセル）に表示放電を行うために、サステインパルスを印加する。
【０１１５】
この第１表示期間に続く転写期間においては、アドレスしたセル（例えば図１７の６０２、又は６０４）の上流側のセル（例えば図１７の６０１、又は６０３）に放電開始電圧よりわずかに低い電圧（ＶM＋Ｖs）（具体的には、Ｙ電極対の電圧−ＶMとＸ電極対の電圧Ｖsとの差）をかけておくことにより、下流側のセル（例えば図１７の６０２、又は６０４）の放電をトリガとして、上流側のセル（例えば図１７の６０１、又は６０３）に放電を起こす。この結果、アドレスしたセルからその上流側のセルへの放電の転写が行われる。
【０１１６】
この転写のために、転写期間の前半のステップ（ステップｄ）においてＹoddの電極対の群に符号７０１の転写パルス（電圧−ＶM）を印加し、後半のステップ（ステップｅ）においてＹevenの電極対の群に符号７０２の転写パルス（電圧−ＶM）を印加する。このステップｄにおいてＹoddの電極対の群でアドレスしたセルからの放電の転写を行い、ステップｅにおいてＹevenの電極対の群でアドレスしたセルからの放電の転写を行う。これらのステップｄ及びｅにおいて、Ｘodd及びＸevenには転写用の正パルス（電圧ＶS）を印加する。
【０１１７】
なお、上流側のセルの放電のみを誘起するため、即ち下流側のセルには放電を誘起させないために、転写期間においてはＹ電極対を偶奇の電極対の群に分ける。即ち、奇数Ｙ電極対の群Ｙoddと偶数Ｙ電極対の群Ｙevenに分け、Ｘ電極を挟んで隣接するセル（ここでは上流側のセル）には高い電圧をかけないように駆動する。
【０１１８】
具体的には、符号ｄのステップで、奇数Ｙ電極対の群Ｙoddに符号７０１の転写用の負パルス（電圧−ＶM）を印加するときに、偶数Ｙ電極対の群Ｙevenに転写を抑制するための正パルス７１１を印加する。また、符号ｅのステップで、偶数Ｙ電極対の群Ｙevenに符号７０２の転写用の負パルス（電圧−ＶM）を印加するときに、奇数Ｙ電極対の群Ｙoddに転写を抑制するための正パルス７１２を印加する。
【０１１９】
また、このような転写を行うときに、アドレス電極Ａに符号７２１で示したパルスを印加して、アドレス電極Ａと走査電極Ｙとの間に対向放電を発生させ、転写動作を一層促進することができる。この動作の詳細は、図２７の符号ｄのステップの説明の中で詳述する。
【０１２０】
そして、この転写期間に続く第２表示期間においては、アドレス期間においてアドレスしたセル（即ち、第１表示期間で表示放電を行ったセル）と、転写期間においてそのセルの上流側に転写したセルとの二つのセルを組にして、表示放電を行うために、サステインパルスが印加される。
【０１２１】
偶数フレーム・typeＡのサブフレームにおいて、上記の図２３の駆動波形に示すように駆動したときの点灯セルの動作状態を図２７に示す。図２７の符号ａ〜ｆのステップは、図２３の符号ａ〜ｆのステップに対応している。
【０１２２】
図２７の電極の２種類の符号において、Ｘ2n-1〜Ｙ2nは符号ｄのステップに対応し、（Ｘ2n）〜（Ｙ2n+1）は符号（ｅ）のステップに対応する。これらのｄ及び（ｅ）以外のステップは上記の２種類の符号の電極の両方に共通のものとして図示した。
【０１２３】
また、セルを示す符号において、符号６０１及び６０２はＸ2n-1〜Ｙ2nの符号の電極やステップｄに対応し、符号（６０３）及び（６０４）は（Ｘ2n）〜（Ｙ2n+1）の符号の電極やステップ（ｅ）に対応するように図示した。
【０１２４】
このように、符号に（）を付けて表示したもの同士、又は符号に（）を付けないで表示したもの同士が対応するものとして図示する点は、以後の図面においても同様である。
【０１２５】
図２７の符号ａはリセット期間のセルの状態を示し、全てのセルの壁電荷の状態が均一化されている。
【０１２６】
図２７の符号ｂはアドレス期間のセルの状態を示し、Ｙ電極対に隣接する二つのセルの内の片側のセル（ここでは、下流側のセル）（符号６０２又は６０４のセル）がアドレスされた状態（ＯＮ状態）を示している。ここでは、上流側のセル（符号６０１又は６０３のセル）はアドレスされていない（ＯＦＦ状態）。
【０１２７】
なお、これらの符号６０１〜６０５のセルは、図１７の同一符号のセルに対応するものである（以下同様）。
【０１２８】
図２７の符号ｃは第１表示期間のセルの状態を示し、符号ｂのステップでアドレスされた符号６０２又は６０４のセルが、表示のための維持放電を行ったときの状態を示している。
【０１２９】
図２７の符号ｄ〔又は符号（ｅ）〕は転写期間のセルの状態を示し、アドレスされた符号６０２（又は６０４）のセルからその上流側の符号６０１（又は６０３）のセルに放電を転写するときの動作状態を示している。この放電の転写は、符号６５２ａの面放電を符号６５１ａの面放電に転写するものであるが、この転写のときに符号６５２ｂ及び６５１ｂで示した対向放電を発生させることにより、転写の動作を一層容易に行うことができる。即ち、トリガとなる放電として、符号６５２ａの面放電を発生させると共に符号６５２ｂの対向放電を発生させる。そして、転写される側のセルにおいても、面放電と対向放電とが同時に発生可能な駆動パルスを印加しておく。その結果、ミクロに見れば、符号６５２ａの面放電の発生とほぼ同時に符号６５２ｂの対向放電が発生し、その直後に符号６５１ｂの対向放電及び符号６５１ａの面放電がほぼ同時に発生する。なお、転写のためにはこのような対向放電を使用しなくてもよいが、使用する方が転写動作を一層促進することができる。これは、二つのセル６０２及び６０１の間では、符号６５２ａ及び６５１ａの面放電の間隔よりも、符号６５２ｂ及び６５１ｂの対向放電の間隔の方が近距離にあるため、対向放電同士の方が放電間の結合が起こりやすいことによるものである。
【０１３０】
なお、上記二つの対向放電６５２ｂ，６５１ｂの両方を発生させることが望ましいが、符号６５２ｂの一つだけでもよい。印加電圧が低いときにはこのようになることがある。
【０１３１】
ここで、符号ｄのステップは奇数Ｙ電極対の下流側のセル（例えば６０２）からその上流側のセル（例えば６０１）に対する転写動作を示し、符号（ｅ）のステップは偶数Ｙ電極対の下流側のセル（例えば６０４）からその上流側のセル（例えば６０３）に対する転写動作を示している。
【０１３２】
図２７の符号ｆは第２表示期間のセルの状態を示し、符号ｄ又は（ｅ）のステップで点灯させた二つのセル（６０１及び６０２、又は６０３及び６０４）が、表示のための維持放電を行ったときの状態を示している。
【０１３３】
第２種類のサブフレームとして、図２４に偶数フレーム・typeＢのサブフレームの駆動波形を示し、図２８にそのサブフレームにおける点灯セルの動作状態を示す。
【０１３４】
この第２種類のサブフレーム（偶数フレーム・typeＢのサブフレーム）は、上記の第１種類のサブフレーム（偶数フレーム・typeＡのサブフレーム）とは転写期間における転写の方向が異なるのみであり、それ以外は同じ内容である。即ち、前者の転写方向は下流側に向かう方向であり、後者の転写方向は上流側に向かう方向である。
【０１３５】
そこで、第２種類のサブフレーム（偶数フレーム・typeＢのサブフレーム）の駆動波形（図２４）は、上記の第１種類のサブフレーム（偶数フレーム・typeＡのサブフレーム）の駆動波形（図２３）とは、基本的に転写期間の駆動波形が異なり、それに付随して、第１表示期間の末尾部分と第２表示期間の先頭部分の駆動波形が少し異なるものとなる。
【０１３６】
下流側のセルに転写を行うための転写パルス７０１’（ステップｄ）及び７０２’（ステップｅ）は、それぞれＸeven及びＸoddのＸ電極対の群に印加される。（図２３では符号７０１及び７０２の転写パルスがＹ電極対の群に印加されている）。そして、上流側のセルへの転写を抑制するための符号７１１’（ステップｄ）及び７１２’（ステップｅ）も、それぞれＸodd及びＸevenのＸ電極対の群に印加される。（図２３では符号７１１及び７１２の転写抑制パルスがＹ電極対の群に印加されている）。
【０１３７】
また、このような転写を行うときに、アドレス電極Ａに符号７２１’で示したパルスを印加して、アドレス電極Ａと走査電極Ｙとの間に対向放電を発生させ、転写動作を一層促進することができる。この動作については、図２８の符号ｄのステップの中でも説明する。
【０１３８】
次に、第２種類のサブフレーム（偶数フレーム・typeＢのサブフレーム）の点灯セルの動作状態（図２８）は、上記の第１種類のサブフレーム（偶数フレーム・typeＡのサブフレーム）の点灯セルの動作状態（図２７）とは、基本的に転写期間〔符号ｄ又は（ｅ）のステップ〕の動作状態が異なり、それに付随して、第２表示期間〔符号ｆのステップ〕の点灯セルの動作状態が異なるものとなる。その他の符号ａ〜ｃのステップの各セルの動作状態は図２７の場合と同一である。
【０１３９】
符号ｂのステップでアドレスを行うと共に符号ｃのステップで表示放電を行ったセル（符号６０２又は６０４のセル）の放電を、下流側のセル（符号６０３又は６０５のセル）に転写するときの各セルの状態を符号ｄ又は（ｅ）のステップに示した。符号６６２ａの面放電から符号６６３ａの面放電への転写を行うときに、図２７の場合と同様にして、二つの対向放電６６２ｂ，６６３ｂ、又は少なくともその片側の対向放電６６２ｂを利用することが望ましい。
【０１４０】
符号ｆのステップは、符号ｄ又は（ｅ）のステップで点灯状態にした二つのセル（符号６０２及び６０３のセル、又は符号６０４及び６０５のセル）が一緒に表示放電を行うときの状態を示している。
【０１４１】
第３種類のサブフレームとして、図２５に奇数フレーム・typeＡのサブフレームの駆動波形を示し、図２９にそのサブフレームにおける点灯セルの動作状態を示す。
【０１４２】
この第３種類のサブフレーム（奇数フレーム・typeＡのサブフレーム）は、上記の第１種類のサブフレーム（偶数フレーム・typeＡのサブフレーム）とはアドレスするセルの種類が異なり、その他の動作は同様である。前者はアドレス期間で図１７に示した電極構成のＰＤＰの奇数番目の表示ラインのセルをアドレスするのに対して、後者は偶数番目の表示ラインのセルをアドレスする。
【０１４３】
このように奇数番目の表示ラインのセルをアドレスするために、図２５に示すアドレス期間の前半部分において奇数Ｙ電極対の各々を順次アドレスするときに、偶数Ｘ電極対の群Ｘevenに非選択レベルの電圧（低電圧）を印加すると共に、奇数Ｘ電極対の群Ｘoddに選択レベルの電圧（高電圧）を印加する。また、アドレス期間の後半部分において偶数Ｙ電極対の各々を順次アドレスするときに、奇数Ｘ電極対の群Ｘoddに非選択レベルの電圧（低電圧）を印加すると共に、偶数Ｘ電極対の群Ｘevenに選択レベルの電圧（高電圧）を印加する。
【０１４４】
このように図１７に示した電極構成のＰＤＰの奇数番目の表示ラインのセルをアドレスすることに付随して、転写期間において、アドレスしたセルからその上流側のセルに放電を転写するために、その駆動波形を図２５に示したように印加する。この転写期間の駆動波形は、図２４に示したものと同等である。転写方向は図２４では下流側、図２５では上流側と異なるが、アドレス期間でアドレスするセルの種類（即ち、アドレスに用いる電極対の組合せ方）が異なることにより、図２４及び図２５の転写期間の駆動波形は同じものとなっている。
【０１４５】
次に、第３種類のサブフレーム（奇数フレーム・typeＡのサブフレーム）の点灯セルの動作状態（図２９）と、上記の第１種類のサブフレーム（偶数フレーム・typeＡのサブフレーム）の点灯セルの動作状態（図２７）とは、それら二つの図を比較してみれば明らかなように、図内の壁電荷のパターンが同一である。異なるのは、各種の電極の組合せ方のみである。前者は図１７に示した電極構成のＰＤＰの奇数番目の表示ラインをアドレスし、後者は偶数番目の表示ラインをアドレスするように、適宜の電極を選択して組み合わせる。
【０１４６】
第４種類のサブフレームとして、図２６に奇数フレーム・typeＢのサブフレームの駆動波形を示し、図３０にそのサブフレームにおける点灯セルの動作状態を示す。
【０１４７】
この第４種類のサブフレーム（奇数フレーム・typeＢのサブフレーム）は、上記の第２種類のサブフレーム（偶数フレーム・typeＢのサブフレーム）とはアドレスするセルの種類が異なり、その他の動作は同様である。前者はアドレス期間で図１７に示した電極構成のＰＤＰの奇数番目の表示ラインのセルをアドレスするのに対して、後者は偶数番目の表示ラインのセルをアドレスする。
【０１４８】
このように奇数番目の表示ラインのセルをアドレスするために、図２６に示すアドレス期間の前半部分において奇数Ｙ電極対の各々を順次アドレスするときに、偶数Ｘ電極対の群Ｘevenに非選択レベルの電圧（低電圧）を印加すると共に、奇数Ｘ電極対の群Ｘoddに選択レベルの電圧（高電圧）を印加する。また、アドレス期間の後半部分において偶数Ｙ電極対の各々を順次アドレスするときに、奇数Ｘ電極対の群Ｘoddに非選択レベルの電圧（低電圧）を印加すると共に、偶数Ｘ電極対の群Ｘevenに選択レベルの電圧（高電圧）を印加する。
【０１４９】
このように図１７に示した電極構成のＰＤＰの奇数番目の表示ラインのセルをアドレスすることに付随して、転写期間において、アドレスしたセルからその上流側のセルに放電を転写するために、その駆動波形を図２６に示したように印加する。この転写期間の駆動波形は、図２３に示したものと同等である。転写方向は図２３では上流側、図２６では下流側と異なるが、アドレス期間でアドレスするセルの種類（即ち、アドレスに用いる電極対の組合せ方）が異なることにより、図２３及び図２６の転写期間の駆動波形は同じものとなっている。
【０１５０】
次に、第４種類のサブフレーム（奇数フレーム・typeＢのサブフレーム）の点灯セルの動作状態（図３０）と、上記の第２種類のサブフレーム（偶数フレーム・typeＢのサブフレーム）の点灯セルの動作状態（図２８）とは、それら二つの図を比較してみれば明らかなように、図内の壁電荷のパターンが同一である。異なるのは、各種の電極の組合せ方のみである。前者は図１７に示した電極構成のＰＤＰの奇数番目の表示ラインをアドレスし、後者は偶数番目の表示ラインをアドレスするように、適宜の電極を選択して組み合わせる。
【０１５１】
なお本実施形態では、全てのサブフレームにおいて第１表示期間と第２表示期間の長さの比は略一定とし、図１８に示すように輝度重みの小さい順にtypeＡとtypeＢを交互に振り分ける。このtypeＡとtypeＢの振り分けは交互でなくてもよいし、ランダムであってもよい。また、第１表示期間と第２表示期間の長さの比が１：１のときに、図１２の（ｂ）や図１３の（ｂ）に示したような輝度レベルになるが、この比率はＰＤＰ装置の種類に対応して適宜選択することが望ましい。
【０１５２】
また、各サブフレームの輝度重みは、第２表示期間で点灯する隣接セルの輝度も考慮に入れて調節することが望ましい。
【０１５３】
以上の第１実施形態や第２実施形態の説明の中で、電極対に対して奇数（番目）や偶数（番目）、表示ラインに対して奇数（番目）や偶数（番目）、などの区別をしている。これらの奇数（番目）や偶数（番目）は、あくまでも図１や図１７の電極構成の場合に対する区別であり、この電極構成が異なるＰＤＰ（例えば、Ｘ電極対とＹ電極対の関係が逆になったＰＤＰ）においてはこれらの偶奇の関係が逆になる場合などがある。
【０１５４】
なお、第１実施形態と第２実施形態の転写動作について付言する。転写期間の位置が前者では表示期間の直前にあり後者では表示期間の中間部にあるため、一見異なる動作のように思えるかも知れないが、両者の転写動作は基本的には同じものであることは、既にそれぞれの実施形態の中で説明した内容から明らかである。両者の転写期間の動作に関して異なる点は、基本的には転写期間のある位置だけであると言ってもよい。
【０１５５】
（第３実施形態）
第１実施形態及び第２実施形態では、表示期間の駆動波形は、Ｘ電極対とＹ電極対との間では逆位相の駆動波形を用いると共に、Ｘ電極対同士、又はＹ電極対同士の間では同一位相の波形を用いている。従って、表示放電が全セルで同時に起こることになるため、放電電流のピーク値が高くなり、動作マージンの点からも駆動ドライバの負荷の点からも好ましくない。また、放電電流が大きいため、電磁輻射が大きくなるという問題もある。
【０１５６】
これらの問題を避けるために、図１１に示すような駆動波形を用いる。この図１１において、電極対の群の種類はＸodd、Ｙodd、Ｘeven、Ｙevenの４種類であるが、放電の発生箇所を記載する便宜を図るために、末尾にＸoddを追加して図示した。図１１において、ＸoddとＸevenとの間、ＹoddとＹevenとの間で逆位相にし、隣り合うＸ電極対とＹ電極対との間では１／４位相ずらすように駆動する。このように駆動すれば複数種類の波形が分散化されるためピーク電流が下がり、また逆方向の電流が互いに相殺する方向に組み合わされるので電磁輻射も低減できる。
【０１５７】
図１１において、表示放電が発生するタイミングにａ〜ｈの符号を付けて示した。１周期の表示放電は符号ａ〜ｈに示した８種類の放電に分散して発生する。この分散により同一時点・同一方向の放電の電流値がほぼ半分に減少すると共に、個々の放電電流にはその放電と対になる逆方向の放電電流が存在するため、電磁輻射を低減する効果もある。逆方向の放電電流が対になる組合せは、例えば、図１１のａとｇ’、ｂとｈ’、ｃとｅ、ｄとｆなどである。
【０１５８】
（ＰＤＰ装置の構成）
第１実施形態〜第３実施形態などに用いられるＰＤＰ装置の構成を、図３６に示す。
【０１５９】
このＰＤＰ装置は、図１、図１７の平面図や図３７の分解斜視図に示す構成のＰＤＰ（図３６の符号１）と、そのＰＤＰのＸ電極対の群及びＹ電極対の群のそれぞれを駆動するためのＸ電極対駆動回路１０１及びＹ電極対駆動回路１１１と、アドレス電極の群を駆動するためのアドレス電極駆動回路１２１と、それらの駆動回路を制御するための制御回路１３１と、外部から入力する信号Ｓを処理して制御回路１３１に送るための信号処理回路１４１とを備えている。
【０１６０】
なお、この図３６においては、第１実施形態〜第３実施形態に対応して、Ｘ電極対とＹ電極対とを備えたＰＤＰ１を駆動し、それらの電極対を駆動する駆動回路１０１，１１１を備えているが、このＰＤＰ装置は、後述する第５実施形態にも対応するものである。ただし、この第５実施形態はそれぞれの「電極」が一本づつの電極であり、二本の電極からなる「電極対」ではない。そこで、このような第５実施形態に対応するＰＤＰ装置としては、図３６のＰＤＰ装置において、ＸやＹの「電極対」を「電極」に読み替え、「Ｘ電極対駆動回路１０１」及び「Ｙ電極対駆動回路１１１」をそれぞれ「Ｘ電極駆動回路１０１」及び「Ｙ電極駆動回路１１１」と読み替えるものとする。
【０１６１】
（第４実施形態）
第４実施形態として、ＰＤＰの電極、隔壁、遮光膜などの構成を改良する実施形態について説明する。図１や図１７に示した構造のＰＤＰの代わりに、以下の第１〜第６のＰＤＰ構造を有するパネルを用いることにより、ＰＤＰ装置としての特性や性能などをさらに改良することができる。
【０１６２】
図３１に第１のＰＤＰ構造を示す。
【０１６３】
この構造は、Ｘ電極対１１やＹ電極対１２を構成する２本の電極の各々の二つの構成要素、即ち透明電極１１ｉ，１２ｉとバス電極１１ｂ，１２ｂの構造を改良したものである。
【０１６４】
具体的には、対となる２本の電極の各々のバス電極１１ｂ，１２ｂは、表示領域外で電気的に連結することに加えて、表示領域内で隔壁２５に重なる位置に連結部を形成している。バス電極は隔壁２５に重なる部分に形成しているため、縦方向に隣接するセル間の分離を悪化させることはない。しかもこの構成により、バス電極を並列に接続する回路ができるため、電極対の電気抵抗を低減することができると共に、各々の電極の断線対策にもなる。
【０１６５】
また、透明電極１１ｉ，１２ｉは、各々の隔壁の間で分離し、対となるバス電極から外側に張り出した半島状の形状にしている。この形状により、非放電ギャップ（対となるバス電極に挟まれた内側の部分）による放電の分離を一層良好なものとすることができる。
【０１６６】
図３２に第２のＰＤＰ構造を示す。
【０１６７】
この構造は、図３１のＰＤＰ構造に加えて、隔壁２５の幅が非放電ギャップの部分で太くなるようにしたものである。この構造により、セル間の結合が弱まるため、非放電ギャップの幅をより狭くすることができる。従って、一層の高精細化（高解像度化）が可能となる。
【０１６８】
図３３に第３のＰＤＰ構造を示す。
【０１６９】
この構造は、図１や図１７に示した構造のＰＤＰの非放電キャップの部分に遮光部材５０を設けたものである。これによりＰＤＰに入射する外光に対する反射率を低減できるため、表示のコントラストを向上させることができる。
【０１７０】
図３４に第４のＰＤＰ構造を示す。
【０１７１】
この構造は、図３１のＰＤＰ構造に加えて、そのバス電極１１ｂ，１２ｂに囲まれた部分に遮光部材５０を設けたものである。これにより図３１のＰＤＰよりも、ＰＤＰに入射する外光に対する反射率を低減して表示コントラストを向上させることができる。
【０１７２】
図３５に第５のＰＤＰ構造を示す。
【０１７３】
この構造は、図３２のＰＤＰ構造に加えて、そのバス電極１１ｂ，１２ｂに囲まれた部分に遮光部材５０を設けたものである。これにより図３２のＰＤＰよりも、ＰＤＰに入射する外光に対する反射率を低減して表示コントラストを向上させることができる。
【０１７４】
図４１に第６のＰＤＰ構造を示す。
【０１７５】
この図において、Ｘ電極対Ｘ1は、両側の端部に２本の電極を接続する連結部Ｂ1，Ｂ2を備えている。他のＸ電極対Ｘ2〜Ｘ4及びＹ電極対Ｙ1〜Ｙ3も同様である。このような電極構成にすることより、各電極対を形成する２本の電極のいずれかに断線障害が発生した場合であっても、両側の連結部Ｂ1，Ｂ2で並列に接続されているため、その断線を救済することができる。
【０１７６】
（第５実施形態）
上記の第１実施形態〜第３実施形態においては、非放電ギャップを用いた構造のＰＤＰを対象にした発明について説明した。
【０１７７】
一方、非放電ギャップを用いない構造（放電ギャップが連続して配列された構造）のＰＤＰであっても、次のような工夫をすれば使用可能である。即ち、電極構造又は隔壁構造の少なくとも一方の構造を、隣接するセル間の結合が小さくなるように、しかもその結合が適度に存在するように工夫することである。
【０１７８】
非放電ギャップのないＰＤＰにおいて、隣り合う放電ギャップで（即ち、Ｘ電極やＹ電極と交差する方向に隣接する二つのセルの間で）同時に維持放電を起こそうとすると、通常は、放電の広がりにより放電が干渉し合うという問題があり、本発明の駆動方法の適用は困難である。このような放電干渉（又は放電結合）の様子を、図４２に示す。
【０１７９】
図４２に示したＰＤＰは、図３８に示した従来のインタレース型ＰＤＰのＸ電極やＹ電極の透明電極の形状を一部変更したものである。即ち、各セルの放電を小さくして、隣接するセル間の放電結合（又は放電干渉）を小さくするように改善するために、符号１１ｉｖ，１２ｉｖで示すように、セルの中にバス電極１１ｂ，１２ｂと交差する方向（縦方向）の透明電極を形成したものである。そして、縦方向の透明電極の両側の端部は、それぞれ横方向（マトリクス画面の行方向のことであり、以下同様）の透明電極に接続されている。このように透明電極形状を改善したＰＤＰであっても、隣接する二つのセルＤ1，Ｄ2の間の放電は、符号Ｋで示すように重なり合い、依然として放電の結合が生じることがある。このような状態では、これら二つのセルの維持放電を安定に発生させることができない。
【０１８０】
図４２のＰＤＰに対して、更に次のような改良を適用すれば、放電の広がりを小さくして、放電結合（又は放電干渉）を小さくする（又は、無くす）ことができる。
その改良の第１は、図４３に示すように、縦方向の透明電極１１ｉｖ，１２ｉｖの幅を更に狭くすることである。このような改良により、放電セル及び維持放電はそれぞれ符号Ｃｅｌｌ及び符号Ｅ0で示したように小さくなり、隣接するセル間の放電は図中の符号Ｅ1，Ｅ2で示したように分離した状態になる。なお、図４３では縦方向の透明電極１１ｉｖ，１２ｉｖを、隣接する隔壁２５の間に１本だけ形成しているが、複数本形成してもよい。
【０１８１】
その改良の第２は、維持放電を発生させるための維持放電パルスの電圧（即ち維持電圧）を低くすることである。これにより、図４２のＰＤＰの場合であっても、隣接するセル間の維持放電を分離することができる。
【０１８２】
これらの第１及び第２の改良を併用すれば更に放電干渉（放電結合）の少ない（又は、無い）ＰＤＰを実現することができる。
【０１８３】
このように放電が分離した状態を、放電が「自発分離」していると言う。そして、このように自発分離した維持放電を発生可能なＰＤＰを用いれば、上記の第１実施形態〜第３実施形態に示したような駆動方法を適用することができる。
【０１８４】
このように維持放電の自発分離を可能にするＰＤＰの構造として、図４３に示した構造を第１のＰＤＰ構造と呼ぶ。同様にして、維持放電の自発分離を可能にすると共に適度の放電結合を発生させるためのＰＤＰの構造を、第２〜第７のＰＤＰ構造として以下に説明する。
【０１８５】
図４４に第２のＰＤＰ構造を示す。
【０１８６】
このＰＤＰ構造は、上記第１のＰＤＰ構造（図４３）の隔壁２５の形状を変更したものである。隣接するセル間の中間部、即ちバス電極１１ｂ，１２ｂのある線上で、隔壁の幅を広く形成するものである。隔壁は細幅部分２５ｎと広幅部分２５ｗとからなり、広幅部分２５ｗは細幅部分２５ｎから半島状に張り出した構造になっている。これにより、図４３（第１のＰＤＰ構造）の場合よりも放電結合（放電干渉）の程度を小さくすることが可能である。
【０１８７】
図４５に第３のＰＤＰ構造を示す。
【０１８８】
このＰＤＰ構造は、透明電極１１ｉ，１２ｉの形状を変更したものである。透明電極１１ｉ，１２ｉは、図４３（第１のＰＤＰ構造）の場合と異なり、横方向のバス電極Ｂｈと平行な方向に複数本形成されると共に、横方向のバス電極Ｂｈから離れた位置に形成されている。さらに、バス電極１１ｂ，１２ｂの各々は、１本の横方向バス電極Ｂｈと、複数本の縦方向バス電極Ｂｖとを備え、縦方向バス電極Ｂｖは隔壁２５と重なる位置に形成されると共に両者は電気的に結合されている。そして、縦方向バス電極Ｂｖと複数本の横方向の透明電極とは電気的に結合されている。
【０１８９】
図４５（第３のＰＤＰ構造）の場合は、図４３（第１のＰＤＰ構造）の場合よりも放電結合（放電干渉）の程度を小さくすることが可能である。
【０１９０】
図４６に第４のＰＤＰ構造を示す。
【０１９１】
このＰＤＰ構造は、図４５（第３のＰＤＰ構造）の透明電極１１ｉ，１２ｉの構造を変更したものであり、横方向の透明電極１１ｉをバス電極の両側に１本づつ形成している。この構造により、図４５（第３のＰＤＰ構造）の場合よりも透明電極の構造を簡単化することができる。
【０１９２】
図４７に第５のＰＤＰ構造を示す。
【０１９３】
このＰＤＰ構造は隔壁２５の形状の変更例を示したものであり、図４７の（ａ）〜（ｃ）はそれらの変更例の平面図を示したものである。この中で（ａ）の形状は、図４４の第２のＰＤＰ構造として既に説明した。
【０１９４】
図４７の（ｂ）及び（ｃ）は、（ａ）の場合よりも隣接セル間の放電結合（放電干渉）の程度を更に小さくするための隔壁の構造を示す。（ｂ）及び（ｃ）は縦方向に伸びる帯状の隔壁２５ｖと交差する方向に、その縦方向（画面の列方向）の隔壁２５ｖの間を連結するように横方向（画面の行方向）に伸びる隔壁２５ｈ２及び２５ｈを形成している。しかも、これらの横方向の隔壁２５ｈ２及び２５ｈは、隣接する二つの縦方向（画面の列方向）の隔壁２５ｖの中間部に間隙６１を備えている。
【０１９５】
もしもこの間隙が無い場合には、通常は、隣接するセル間の放電結合（放電干渉）は全く無いものとなる。そこで、図４７の（ｂ）及び（ｃ）に示すように小さな間隙６１を形成することにより適度の放電結合を可能にすることができる。放電結合の程度は、この間隙６１の大きさにより調節することが可能である。
【０１９６】
また、横方向の隔壁の形状は、図４７の（ｂ）の符号２５ｈ１，２５ｈ２や、（ｃ）の符号２５ｈのような形状が適用できるが、これらの形状に限定されるものではなく、隣接する縦方向の隔壁２５ｖの間を連結すると共にその中間部に間隙を有する横方向の隔壁であればよい。
【０１９７】
図４８に第６のＰＤＰ構造を示す。
【０１９８】
このＰＤＰ構造は、図４７（第５のＰＤＰ構造）に示した横方向の隔壁２５ｈの断面形状の変更例を示したものである。
【０１９９】
図４８の（ａ）は、図４７（第５のＰＤＰ構造）の（ｃ）に相当する隔壁の構造を示す平面図であり、図４８の（ｂ１）〜（ｂ３）は、同図（ａ）のＡＡ’線において隔壁２５ｈ及び２５ｖの断面形状を矢印Ａｄの方向から見た断面図である。
【０２００】
図４８の（ｂ１）は、横方向の隔壁２５ｈにおいて、隣接する二つの縦方向の隔壁２５ｖの中間部に小さな間隙６１を備えたものであり、この間隙が隣接するセル間の適度の放電結合を可能にする。なおこの間隙は隣接する二つの縦方向の隔壁２５ｖの間に複数あってもよい。
【０２０１】
図４８の（ｂ２）は、横方向の隔壁２５ｈを、縦方向の隔壁２５ｖよりも低く形成することにより、その段差部に形成される間隙により隣接するセル間の適度の放電結合を可能にする。なおこの段差部は上下両側にあってもよい。
【０２０２】
図４８の（ｂ３）は、横方向の隔壁２５ｈの一方の端面において、隣接する二つの縦方向の隔壁２５ｖの中間部に小さな切欠き部６２を形成し、その切欠き部６２により隣接するセル間の適度の放電結合を可能にする。なおこの切欠き部は隣接する二つの縦方向の隔壁２５ｖの間に複数あってもよく、また横方向の隔壁２５ｈの上下両方の端面にあってもよい。
【０２０３】
図４９（ａ）に第７のＰＤＰ構造を示す。
このＰＤＰ構造は、隔壁として図４７（ｂ）に示した構造のものを用い、図４９（ａ）のＸ電極Ｘ1，Ｘ2及びＹ電極Ｙ1，Ｙ2として、図４９（ｂ）に示した構造のものを用いる。
【０２０４】
ここで、図４９（ｂ）はＸ電極Ｘ1の構成を示したものであり、図３８のＸ電極Ｘ1の構成と基本的に同一のものである。他のＸ電極やＹ電極の構造も同一である。
【０２０５】
図４９（ａ）に示したような構造のインタレース型ＰＤＰにおいては、縦方向に隣接するセル間の放電干渉を十分に小さいものとし、しかも、その隣接するセル間の放電を適度に結合することができる。従って、このＰＤＰを用いることにより、第１実施形態〜第３実施形態に示した本発明の駆動方法を適用することができる。
【０２０６】
また、図４９（ａ）に示したような構造のインタレース型ＰＤＰは、図４３〜図４６の構造のＰＤＰよりも、電極の構造が簡単である反面、隔壁の構造は複雑になっている。即ち、各々の構造には一長一短があるため、これらのＰＤＰの構造は、ＰＤＰ装置に対して必要となる要求性能などに対応して適宜選択されることになる。
【０２０７】
（付記１）基板上に一方向に配設された複数の電極の内の隣接する電極に挟まれて放電を発生させる放電ギャップと放電を発生させない非放電ギャップとを備え、前記放電ギャップと前記非放電ギャップとが交互に配置されると共に前記非放電ギャップを挟む電極対の各々が電気的に連結され、しかも前記放電ギャップは複数のセルに区分されてなるプラズマディスプレイパネルに対し、奇数フレームと偶数フレームとの２種類のフレームを用いて表示を行うように駆動するに際し、前記電極対と交差する方向に互いに隣接する二つ又は三つのセルを一組として各々のセルの点灯状態を制御し、かつ当該セルの組み合わせが、偶数フレームと奇数フレームとにおいて、前記電極対と交差する方向に１セル分ずれるように駆動することを特徴とするプラズマディスプレイパネルの駆動方法。
【０２０８】
（付記２）前記フレームを複数のサブフレームに分割し、一つのサブフレームの内の少なくとも一部の表示期間においては、前記二つのセルを、又は、前記三つのセルの内の隣接する二つのセルを、共にオン状態にする付記１記載のプラズマディスプレイパネルの駆動方法。
【０２０９】
（付記３）複数の前記電極対は、所定のセルを選択するための走査に用いる走査電極対と、その走査電極対と組み合わせて前記所定のセルの表示を行うための表示電極対とを含み、奇数フレーム及び偶数フレームの内の一方のフレームにおいて、前記走査電極対に隣接する二つのセルを組にして選択または非選択の操作を行うことを特徴とする付記１記載のプラズマディスプレイパネルの駆動方法。
（  付記４）前記奇数フレーム及び偶数フレームの内の他方のフレームにおいて、前記走査電極対に隣接する二つのセルの内の一方のセルに選択または非選択の操作を行うと共に、選択した当該セルの状態を、そのセルに隣接する表示電極対を挟む二つのセルの内の当該セルとは別のセルに転写するように制御することを特徴とする付記３記載のプラズマディスプレイパネルの駆動方法。
【０２１０】
（付記５）ライン状の複数のセルを有する放電ギャップと放電用のセルを持たない非放電ギャップとが交互に配設され、前記非放電ギャップは二つの電極が電気的に接続された電極対により挟まれ、その電極対は、所定のセルを選択するための走査電極対と、その走査電極対と組み合わせて前記所定のセルの表示を行うための表示電極対とを含み、しかも前記走査電極対と前記表示電極対とが交互に配設されたプラズマディスプレイパネルに対して、所定の前記セルを選択するためのアドレス期間と、選択した複数のセルを纏めて所定時間放電させるための表示期間とを用いて表示を行うに際し、前記アドレス期間において、所定の走査電極対に走査パルスを印加するときに、その走査電極対に隣接する二つの表示電極対の内の一方の表示電極対に選択バイアス電圧を印加すると共に、他方の表示電極対に非選択バイアス電圧を印加することで、その走査電極対に隣接する二つのセルの内の一方のセルを点灯または非点灯とするプラズマディスプレイパネルの駆動方法。
【０２１１】
（付記６）前記表示期間の直前部分または中間部分に転写期間を設け、前記転写期間において、前記アドレス期間で点灯させた前記セルの放電をトリガにして、そのセルに対して前記電極対と交差する方向に隣接するセルに前記セルの放電の転写を行うように駆動する付記５記載のプラズマディスプレイパネルの駆動方法。
【０２１２】
（付記７）前記転写期間において、前記選択バイアス電圧を印加した表示電極対と、その表示電極対に隣接する二つの走査電極対との間に、放電開始電圧よりも低くかつ放電維持電圧よりも高い電圧を印加することで、前記選択バイアス電圧を印加した表示電極対に隣接する二つのセルの内で前記アドレス期間に点灯させたセルの放電をトリガにして他方のセルに前記放電の転写を行う付記６記載のプラズマディスプレイパネルの駆動方法。
【０２１３】
（付記８）前記放電ギャップに対応する表示ラインの各々を順次スキャンして所望のセルを選択するための前記アドレス期間において、奇数表示ライン群と偶数表示ライン群の内の一方の表示ライン群の中の各々の表示ラインを順次スキャンした後、他方の表示ライン群の中の各々の表示ラインを順次スキャンする付記５記載のプラズマディスプレイパネルの駆動方法。
【０２１４】
（付記９）付記７記載の放電の転写は、奇数表示ライン群と偶数表示ライン群の内の一方の表示ライン群のセルの放電を纏めて転写するステップと、他方の表示ライン群のセルの放電を纏めて転写するステップとを含むプラズマディスプレイパネルの駆動方法。
【０２１５】
（付記１０）前記選択バイアスは、奇数番目の表示電極対の群と偶数番目の表示電極対の群の内の一方の表示電極対の群に印加し、前記非選択バイアスは、他方の表示電極対の群に印加する付記５記載のプラズマディスプレイパネルの駆動方法。
【０２１６】
（付記１１）基板上に一方向に配設された複数の電極の内の隣接する電極に挟まれて放電を発生させる放電ギャップと放電を発生させない非放電ギャップとを備え、前記放電ギャップと前記非放電ギャップとが交互に配置されると共に前記非放電ギャップを挟む複数の電極対の各々が電気的に連結され、しかも前記放電ギャップは複数のセルに区分されてなるプラズマディスプレイパネルの駆動方法であって、一つの電極対に隣接する二つのセルの内の一方のセルが予めオン状態に設定されているときに、前記一方のセルに隣接して前記一つの電極対とは反対側にある電極対を転写電極対として、その転写電極対と、その転写電極対に隣接する二つの電極対との間に、放電開始電圧よりも低くしかも放電維持電圧よりも高い電圧を印加することで、予めオン状態に設定されたセルの放電をトリガにして、前記転写電極対を介して当該セルに隣接するセルに放電の転写を行うことを特徴とするプラズマディスプレイパネルの駆動方法。
【０２１７】
（付記１２）前記プラズマディスプレイパネルは、前記電極対と交差する複数のアドレス電極を備え、前記転写電極対に前記放電の転写を行うためのパルスを印加するときに、前記アドレス電極に所定のパルスを印加して、前記転写電極対と前記アドレス電極との間に対向放電を発生させることで前記トリガとなる放電を補強する付記１１記載のプラズマディスプレイパネルの駆動方法。
【０２１８】
（付記１３）前記アドレス電極に印加するパルスは、前記転写を行うためのパルスよりも早いタイミングで立ち上げる付記１２記載のプラズマディスプレイパネルの駆動方法。
（付記１４）基板上に一方向に配設された複数の電極の内の隣接する電極に挟まれて放電を発生させる放電ギャップと、放電を発生させない非放電ギャップと、前記非放電ギャップを挟む電極対の各々の電極を電気的に連結するための連結部と、前記放電ギャップを複数のセルに区分するための隔壁とを有し、前記放電ギャップと前記非放電ギャップとが交互に配置されてなるプラズマディスプレイパネルと、前記プラズマディスプレイパネルに対して奇数フレームと偶数フレームとの２種類のフレームを用いて表示を行うように駆動すると共に、前記電極対と交差する方向に互いに隣接する二つ又は三つのセルを一組として各々のセルの点灯状態を制御し、かつ当該セルの組み合わせが、偶数フレームと奇数フレームとにおいて、前記電極対と交差する方向に１セル分ずれるように駆動するための駆動回路とを備えることを特徴とするプラズマディスプレイ装置。
【０２１９】
（付記１５）ライン状の複数のセルを有する放電ギャップと放電用のセルを持たない非放電ギャップと、前記複数のセルを区分する隔壁と、前記非放電ギャップを挟む二つの電極が電気的に接続されてなる電極対とを有し、複数の前記電極対は走査電極対と表示電極対とを含み、前記走査電極対と前記表示電極対とが交互に配設されるように構成されたプラズマディスプレイパネルと、所定の前記セルを選択するためのアドレス期間と、選択した複数のセルを纏めて放電させるための表示期間とを用いて表示を行うに際し、前記アドレス期間において、所定の走査電極対に走査パルスを印加するときに、その走査電極対に隣接する二つの表示電極対の内の一方の表示電極対に選択バイアス電圧を印加すると共に、他方の表示電極対に非選択バイアス電圧を印加することで、その走査電極対に隣接する二つのセルの内の一方のセルを点灯または非点灯とするように駆動する駆動回路とを備えることを特徴とするプラズマディスプレイ装置。
【０２２０】
（付記１６）基板上に一方向に配設された複数の電極の内の隣接する電極に挟まれて放電を発生させる放電ギャップと放電を発生させない非放電ギャップとを有し、前記放電ギャップと前記非放電ギャップとが交互に配置されると共に前記非放電ギャップを挟む複数の電極対の各々が電気的に連結され、しかも前記放電ギャップを複数のセルに区分するための隔壁を有するプラズマディスプレイパネルと、前記プラズマディスプレイパネルの一つの電極対に隣接する二つのセルの内の一方のセルが予めオン状態に設定されているときに、前記一方のセルに隣接して前記一つの電極対とは反対側にある電極対を転写電極対として、その転写電極対と、その転写電極対に隣接する二つの電極対との間に、放電開始電圧よりも低くしかも放電維持電圧よりも高い電圧を印加することで、予めオン状態に設定されたセルの放電をトリガにして、前記転写電極対を介して当該セルに隣接するセルに放電の転写を行うように駆動する駆動回路とを備えることを特徴とするプラズマディスプレイ装置。
【０２２１】
（付記１７）放電ギャップと非放電ギャップとが交互に配置され、非放電ギャップを挟む電極対が電気的に連結されると共に、複数のセルに区分された放電ギャップが表示ラインに対応するように構成されたプラズマディスプレイパネルを、それぞれ複数のサブフレームを有する偶数フレーム及び奇数フレームの２種類のフレームを用いて駆動するに際し、前記サブフレームをアドレス期間と表示期間とに分割すると共に、その表示期間を第１表示期間と第２表示期間とに分け、前記第１表示期間においては、偶数フレーム及び奇数フレームの内の一方のフレームで偶数番目の表示ラインのセルのみを点灯させるとともに、他方のフレームで奇数番目の表示ラインのセルのみを点灯させ、しかも前記第２表示期間では、第１表示期間で点灯したセルと、そのセルに対して前記電極対と交差する方向に隣接する二つのセルの内の一方のセルとを同時に点灯させることを特徴とするプラズマディスプレイパネルの駆動方法。
【０２２２】
（付記１８）前記第１表示期間と第２表示期間との間に放電を転写するための転写期間を設け、前記転写期間において、前記第１表示期間に点灯したセルの放電をトリガにして、そのセルに対して前記電極対と交差する方向に隣接する二つのセルの内の一方のセルに放電の転写を行う付記１７記載のプラズマディスプレイパネルの駆動方法。
【０２２３】
（付記１９）各々の前記サブフレームにおいて、前記第１表示期間と前記第２表示期間の比率を略一定にする付記１７記載のプラズマディスプレイパネルの駆動方法。
【０２２４】
（付記２０）前記第２表示期間において、第１表示期間で点灯したセルと同時に点灯させるセルとして、前記点灯したセルに隣接する二つのセルの各々を、フレーム内のそれぞれのサブフレームにおいてその輝度の重みの順に交互に選択する付記１７記載のプラズマディスプレイパネルの駆動方法。
【０２２５】
（付記２１）複数の前記電極対を有する前記プラズマディスプレイパネルの中の予め選択した複数の前記セルを、纏めて所定時間放電させるための表示期間において、一つの電極対を間に挟んで隣接する二つの電極対の間には互いに逆相の交番パルスを印加し、互いに隣接する二つの電極対の間には１／４位相ずらした交番パルスを印加する付記１、１１または１７記載のプラズマディスプレイパネルの駆動方法。
【０２２６】
（付記２２）偶数フレームと奇数フレームとの２種類のフレームを用いて、複数のセルを有する表示ラインが複数ライン形成されたプラズマディスプレイパネルを駆動するに際し、一つのセルに対応する表示データを、その一つのセルと、そのセルを間に挟んで前記表示ラインと交差する方向に隣接する二つのセルとを含む三つのセルのオン状態の組合せに対応付けるように駆動するプラズマディスプレイパネルの駆動方法。
【０２２７】
（付記２３）前記三つのセルの輝度レベルにおいて、中央のセルはハイレベルにすると共に、前記中央のセルに隣接する二つのセルは前記ハイレベルよりも小さいローレベルにする付記２２記載のプラズマディスプレイパネルの駆動方法。
【０２２８】
（付記２４）前記フレームを複数のサブフレームに分割し、一つのサブフレームの中の少なくとも一部の表示期間において、前記三つのセルの内の隣接する二つのセルを、共にオン状態にする付記２２記載のプラズマディスプレイパネルの駆動方法。
【０２２９】
（付記２５）前記フレームを複数のサブフレームに分割し、前記中央のセルに隣接する二つのセルは、それぞれ異なるサブフレームにおいてオン状態にする付記２２記載のプラズマディスプレイパネルの駆動方法。
【０２３０】
（付記２６）各々の前記サブフレームの中の表示期間を、第１表示期間と第２表示期間とに分割し、前記第１表示期間においては、前記一つのセルをオン状態とし、前記第２表示期間においては、前記一つのセルと、そのセルに隣接すると共に両隣の表示ラインにある二つのセルの内の一方のセルとをオン状態にする付記２４記載のプラズマディスプレイパネルの駆動方法。
【０２３１】
（付記２７）放電ギャップと非放電ギャップとが交互に配置され、非放電ギャップを挟む電極対が電気的に連結されると共に、前記放電ギャップを複数のセルに区分するための隔壁を有するプラズマディスプレイパネルと、フレームを構成する複数のサブフレームの各々の表示期間を第１表示期間と第２表示期間とに分け、前記第１表示期間においては、偶数フレームでは偶数ライン及び奇数ラインの内の一方のラインのセルを点灯させ、奇数フレームでは他方のラインのセルを点灯させると共に、前記第２表示期間では、第１表示期間で点灯したセルと、そのセルの上又は下に隣接するセルとを同時に点灯させるように駆動する駆動回路とを備えることを特徴とするプラズマディスプレイ装置。
【０２３２】
（付記２８）前記プラズマディスプレイパネルの前記非放電ギャップの幅は、前記放電ギャップの幅よりも広く形成されている付記１４、１５、１６又は２７記載のプラズマディスプレイ装置。
【０２３３】
（付記２９）前記プラズマディスプレイパネルの前記連結部は、前記プラズマディスプレイパネルの表示領域の外に設けられている付記１４、１５、１６又は２７記載のプラズマディスプレイ装置。
【０２３４】
（付記３０）前記プラズマディスプレイパネルの前記連結部は、平面視した場合に前記隔壁と重なる位置に設けられている付記１４、１５、１６又は２７記載のプラズマディスプレイ装置。
【０２３５】
（付記３１）前記プラズマディスプレイパネルの前記隔壁は、前記非放電ギャップの部分の幅が前記放電ギャップの部分の幅よりも広く形成されている付記１４、１５、１６又は２７記載のプラズマディスプレイ装置。
【０２３６】
（付記３２）前記プラズマディスプレイパネルは、前記非放電ギャップの部分に遮光部材を備えている付記１４、１５、１６又は２７記載のプラズマディスプレイ装置。
【０２３７】
（付記３３）前記プラズマディスプレイパネルの前記連結部は、前記電極対の両端部に設けられている付記１４、１５、１６又は２７記載のプラズマディスプレイ装置。
【０２３８】
（付記３４）基板上に一方向に配設された複数の第１の電極と、前記複数の第１の電極の各々の電極間に配設された複数の第２の電極と、隣接する前記電極間の各々のギャップで複数の面放電を発生するように区分されてなる複数のセルとを有すると共に、各々の前記電極を挟んで互いに隣接する複数のセルの維持放電を同時に発生可能とし、しかも、前記隣接するセル間の放電を結合するためのパスを持つように構成したプラズマディスプレイパネルに対して、奇数フレームと偶数フレームとの２種類のフレームを用いて表示を行うように駆動するに際し、前記電極と交差する方向に互いに隣接する二つ又は三つのセルを一組として各々のセルの点灯状態を制御し、かつ当該セルの組み合わせが、偶数フレームと奇数フレームとにおいて、前記電極と交差する方向に１セル分ずれるように駆動する
ことを特徴とするプラズマディスプレイパネルの駆動方法。
【０２３９】
（付記３５）基板上に一方向に配設された複数の第１の電極と、前記複数の第１の電極の各々の電極間に配設された複数の第２の電極と、隣接する前記電極間の各々のギャップで複数の面放電を発生するように区分するための隔壁とを有すると共に、各々の前記電極を挟んで互いに隣接する複数のセルの維持放電を同時に発生可能とし、しかも、前記隣接するセル間の放電を結合するためのパスを持つように構成したプラズマディスプレイパネルと、前記プラズマディスプレイパネルを奇数フレームと偶数フレームとの２種類のフレームを用いて表示を行うように駆動するに際し、前記電極と交差する方向に互いに隣接する二つ又は三つのセルを一組として各々のセルの点灯状態を制御し、かつ当該セルの組み合わせが、偶数フレームと奇数フレームとにおいて、前記電極と交差する方向に１セル分ずれるように駆動する駆動回路とを備えることを特徴とするプラズマディスプレイ装置。
【０２４０】
（付記３６）前記プラズマディスプレイパネルの前記電極は、前記一方向に形成されたバス電極と、そのバス電極に交差する方向に形成された複数の第１透明電極とを備え、前記バス電極と前記第１透明電極とは交差部分が電気的に接続されている付記３５記載のプラズマディスプレイ装置。
【０２４１】
（付記３７）前記第１透明電極は、その両端部の各々が、前記バス電極と平行な方向に形成された２本の帯状の第２透明電極の各々と接続されている付記３６記載のプラズマディスプレイ装置。
【０２４２】
（付記３８）前記バス電極は、前記電極の長手方向の中央線上に配設されている
付記３６記載のプラズマディスプレイ装置。
【０２４３】
（付記３９）前記プラズマディスプレイパネルの前記電極は、前記一方向に形成された第１バス電極と、その第１バス電極に交差する方向に形成された複数の第２バス電極と、前記第１バス電極と離れた位置に前記第１バス電極と平行に形成されると共に前記第２バス電極と電気的に接続された第３透明電極とを備えている付記３５記載のプラズマディスプレイ装置。
【０２４４】
（付記４０）前記プラズマディスプレイパネルの前記隔壁は、前記一方向に交差する方向に形成された帯状の第１隔壁部と、前記一方向に平行な方向に前記第１の隔壁部から張り出すように形成された第２隔壁部とを備えている付記３５記載のプラズマディスプレイ装置。
【０２４５】
（付記４１）前記プラズマディスプレイパネルの前記隔壁は、前記一方向に交差する方向に形成された帯状の第１隔壁部と、前記一方向に平行な方向に前記第１の隔壁部から張り出すように形成された第２隔壁部とを備えると共に、前記第２隔壁部は、付記３６記載のバス電極又は付記３９記載の第１バス電極と重なる位置に形成されている付記３６又は３９記載のプラズマディスプレイ装置。
【０２４６】
（付記４２）付記３９記載のプラズマディスプレイパネルの隔壁は、前記一方向に交差する方向に形成された帯状の第１隔壁部と、前記一方向に平行な方向に前記第１の隔壁部から張り出すように形成された第２隔壁部とを備え、前記第２バス電極は前記第１隔壁部と重なる位置に生成されているプラズマディスプレイ装置。
【０２４７】
（付記４３）前記プラズマディスプレイパネルの前記隔壁は、前記一方向に交差する方向に形成された帯状の第１隔壁部と、前記一方向に平行な方向に形成された帯状の第３隔壁部とを備え、前記第１隔壁部と第３隔壁部とは、交差部分が接続されると共に、前記第３隔壁部は、隣接する前記第１隔壁部の間の部位に空隙部を有する付記３５記載のプラズマディスプレイ装置。
【０２４８】
（付記４４）前記プラズマディスプレイパネルの前記隔壁は、前記一方向に交差する方向に形成された帯状の第１隔壁部と、前記一方向に平行な方向に形成された帯状の第３隔壁部とを備え、前記第１隔壁部と第３隔壁部とは、交差部分が接続されると共に、前記第３隔壁部は、隣接する前記第１隔壁部の間の部位に切欠き部を有する付記３５記載のプラズマディスプレイ装置。
【０２４９】
（付記４５）前記プラズマディスプレイパネルの前記隔壁は、前記一方向に交差する方向に形成された帯状の第１隔壁部と、前記一方向に平行な方向に形成された帯状の第３隔壁部とを備え、前記第１隔壁部と第３隔壁部とは、交差部分が接続されると共に、前記第３隔壁部は、隣接する前記第１隔壁部の間の部位が前記第１隔壁部よりも低く形成されている付記３５記載のプラズマディスプレイ装置。
【０２５０】
（付記４６）前記プラズマディスプレイパネルの前記電極は、帯状の透明電極とその中央線上に形成されたバス電極を備え、前記隔壁は、前記一方向に交差する方向に形成された帯状の第１隔壁部と、前記一方向に平行な方向に形成された帯状の第３隔壁部とを備えると共に、前記第３隔壁部は、隣接する前記第１隔壁部の間の部位に空隙部または切欠き部を有し、前記バス電極と前記第３隔壁部とは互いに重なるように配設されている付記３５記載のプラズマディスプレイ装置。
【０２５１】
（付記４７）前記プラズマディスプレイパネルの前記第１及び第２の電極の各々は、前記一方向に平行に隣接する２本の電極を電気的に接続した電極対であり、前記２本の電極に挟まれた電極間のギャップは、放電を発生しないように構成さた非放電ギャップである
付記３５記載のプラズマディスプレイ装置。
【図面の簡単な説明】
【０２５２】
【図１】第１実施形態のＰＤＰの構造を示す平面図
【図２】図１のＰＤＰにおける表示期間の駆動波形を示す図
【図３】第１実施形態の駆動波形のフレーム構成を示す図
【図４】第１実施形態における奇数フレーム内のサブフレームの駆動波形を示す図
【図５】第１実施形態における奇数フレーム内のサブフレームでのＰＤＰの動作状態を示す図
【図６】第１実施形態における偶数フレーム内のサブフレームの駆動波形を示す図
【図７】第１実施形態における偶数フレーム内のサブフレームでの点灯セルの動作状態を示す図
【図８】第１実施形態における偶数フレーム内のサブフレームでの非点灯セルの動作を示す図
【図９】表示用のセルの組を示す図
【図１０】第１実施形態における表示用のセルの組を示す図
【図１１】第１実施形態の表示期間の駆動波形を示す図
【図１２】インタレース駆動における１ドットの表示データとセルの点灯状態との対応を示す図
【図１３】１ドットおきの表示データとセルの点灯状態との対応を示す図
【図１４】第２実施形態における表示期間の点灯状態を示す図
【図１５】第１実施形態の点灯方法を示す図
【図１６】特殊な表示パターンに対する第１実施形態の表示解像度を示す図
【図１７】第２実施形態のＰＤＰの構造を示す図
【図１８】第２実施形態の駆動波形のフレーム構成を示す図
【図１９】偶数フレーム，typeＡのサブフレームにおけるセルの組合せ及び点灯状態を示す図
【図２０】偶数フレーム，typeＢのサブフレームにおけるセルの組合せ及び点灯状態を示す図
【図２１】奇数フレーム，typeＡのサブフレームにおけるセルの組合せ及び点灯状態を示す図
【図２２】奇数フレーム，typeＢのサブフレームにおけるセルの組合せ及び点灯状態を示す図
【図２３】偶数フレーム，typeＡのサブフレームの駆動波形を示す図
【図２４】偶数フレーム，typeＢのサブフレームの駆動波形を示す図
【図２５】奇数フレーム，typeＡのサブフレームの駆動波形を示す図
【図２６】奇数フレーム，typeＢのサブフレームの駆動波形を示す図
【図２７】偶数フレーム，typeＡのサブフレームにおける点灯セルの動作状態を示す図
【図２８】偶数フレーム，typeＢのサブフレームにおける点灯セルの動作状態を示す図
【図２９】奇数フレーム，typeＡのサブフレームにおける点灯セルの動作状態を示す図
【図３０】奇数フレーム，typeＢのサブフレームにおける点灯セルの動作状態を示す図
【図３１】第４実施形態の第１のＰＤＰ構造を示す図
【図３２】第４実施形態の第２のＰＤＰ構造を示す図
【図３３】第４実施形態の第３のＰＤＰ構造を示す図
【図３４】第４実施形態の第４のＰＤＰ構造を示す図
【図３５】第４実施形態の第５のＰＤＰ構造を示す図
【図３６】本発明の各実施形態におけるＰＤＰ装置の構成を示す図
【図３７】第１実施形態〜第４  実施形態におけるＰＤＰの構造を示す分解斜視図
【図３８】従来のインタレース型ＰＤＰの構造を示す平面図
【図３９】従来のインタレース型ＰＤＰの構造を示す分解斜視図
【図４０】従来のインタレース型ＰＤＰに対する表示期間の駆動波形を示す図
【図４１】第４実施形態の第６のＰＤＰ構造を示す図
【図４２】第５実施形態におけるＰＤＰの放電干渉（又は放電結合）を示す図
【図４３】第５実施形態の第１のＰＤＰ構造と放電状態とを示す図
【図４４】第５実施形態の第２のＰＤＰ構造を示す図
【図４５】第５実施形態の第３のＰＤＰ構造を示す図
【図４６】第５実施形態の第４のＰＤＰ構造を示す図
【図４７】第５実施形態の第５のＰＤＰ構造（リブ構造）を示す図
【図４８】第５実施形態の第６のＰＤＰ構造（リブ構造）を示す図
【図４９】第５実施形態の第７のＰＤＰ構造を示す図
【符号の説明】
【０２５３】
１  プラズマディスプレイパネル、ＰＤＰ
１０  前面基板
１１  Ｘ電極、表示電極、Ｘ電極対、表示電極対
１２  Ｙ電極、走査電極、Ｙ電極対、走査電極対
１３，２３  誘電体層
１４  保護層
２０  背面基板
２１  アドレス電極、Ａ電極
２５  隔壁（リブ）
２６  蛍光体層
２６Ｒ，２６Ｇ，２６Ｂ  赤、緑、青の蛍光体層
１０１  Ｘ電極対駆動回路、Ｘ電極駆動回路
１１１  Ｙ電極対駆動回路、Ｙ電極駆動回路
１２１  アドレス電極駆動回路
１３１  制御回路
１４１  信号処理回路
Ｘi    （ｉ番目の）Ｘ電極対、（ｉ番目の）Ｘ電極
Ｙj    （ｊ番目の）Ｙ電極対、（ｊ番目の）Ｙ電極
Ｘodd    奇数Ｘ電極対（の群）、奇数Ｘ電極（の群）
Ｘeven  偶数Ｘ電極対（の群）、偶数Ｘ電極（の群）
Ｙodd    奇数Ｙ電極対（の群）、奇数Ｙ電極（の群）
Ｙeven  偶数Ｙ電極対（の群）、偶数Ｙ電極（の群）
【図１】
2008197686.tif 000003
【図２】
2008197686.tif 000004
【図３】
2008197686.tif 000005
【図４】
2008197686.tif 000006
【図５】
2008197686.tif 000007
【図６】
2008197686.tif 000008
【図７】
2008197686.tif 000009
【図８】
2008197686.tif 000010
【図９】
2008197686.tif 000011
【図１０】
2008197686.tif 000012
【図１１】
2008197686.tif 000013
【図１２】
2008197686.tif 000014
【図１３】
2008197686.tif 000015
【図１４】
2008197686.tif 000016
【図１５】
2008197686.tif 000017
【図１６】
2008197686.tif 000018
【図１７】
2008197686.tif 000019
【図１８】
2008197686.tif 000020
【図１９】
2008197686.tif 000021
【図２０】
2008197686.tif 000022
【図２１】
2008197686.tif 000023
【図２２】
2008197686.tif 000024
【図２３】
2008197686.tif 000025
【図２４】
2008197686.tif 000026
【図２５】
2008197686.tif 000027
【図２６】
2008197686.tif 000028
【図２７】
2008197686.tif 000029
【図２８】
2008197686.tif 000030
【図２９】
2008197686.tif 000031
【図３０】
2008197686.tif 000032
【図３１】
2008197686.tif 000033
【図３２】
2008197686.tif 000034
【図３３】
2008197686.tif 000035
【図３４】
2008197686.tif 000036
【図３５】
2008197686.tif 000037
【図３６】
2008197686.tif 000038
【図３７】
2008197686.tif 000039
【図３８】
2008197686.tif 000040
【図３９】
2008197686.tif 000041
【図４０】
2008197686.tif 000042
【図４１】
2008197686.tif 000043
【図４２】
2008197686.tif 000044
【図４３】
2008197686.tif 000045
【図４４】
2008197686.tif 000046
【図４５】
2008197686.tif 000047
【図４６】
2008197686.tif 000048
【図４７】
2008197686.tif 000049
【図４８】
2008197686.tif 000050
【図４９】
2008197686.tif 000051